(57)【要約】【課題】ガス遮断器モジュールを配置するスペースを縮小することができ、また、回路配線を配置するスペースを垂直方向に縮小することができるコンパクトなガス絶縁開閉装置を提案する。【解決手段】遮断器モジュールの各相のガス遮断器は、前記第１、第２の垂直面の間で互いに同じ基準軸線長さを有し、第１の方向に延びるように配置され、第１の回路配線モジュールの各相の第１回路配線は、それぞれガス絶縁母線で構成され、第１の方向と直交する第２の方向に沿って互いに平行に延び、また、各相の第１回路配線は、直角二等辺三角形の各頂点に位置し、Ａ相とＢ相の各相の第１回路配線は、直角二等辺三角形の短辺の両端に位置して、第１の垂直面と第２の垂直面の間でそれらに平行な第３の垂直面上に配置される。
2008068944.tif 000002
【特許請求の範囲】
【請求項１】
Ａ相、Ｂ相、Ｃ相の各相のガス遮断器を含み、前記各相のガス遮断器の軸線が、共通の水平配置面上で、第１の方向に互いに平行に延びるように配置された遮断器モジュール、
前記各相のガス遮断器のそれぞれの一端部上に垂直に結合されたＡ相、Ｂ相、Ｃ相の各相の第１垂直管、
前記遮断器モジュールの上部に配置され、前記各相の第１垂直管を通じて前記各相のガス遮断器にそれぞれ接続されたＡ相、Ｂ相、Ｃ相の各相の第１回路配線を含む第１の回路配線モジュール、
前記各相のガス遮断器のそれぞれの他端部上に垂直に結合されたＡ相、Ｂ相、Ｃ相の各相の第２垂直管、および
前記各相の第２垂直管を通じて前記各相のガス遮断器にそれぞれ接続されたＡ相、Ｂ相、Ｃ相の第２回路配線を含む第２の回路配線モジュールを備え、
前記Ａ相のガス遮断器が、前記Ａ相の第１回路配線と前記Ａ相の第２回路配線との間の電気接続を、前記Ｂ相のガス遮断器が、前記Ｂ相の第１回路配線と前記Ｂ相の第２回路配線との間の電気接続を、また前記Ｃ相のガス遮断器が、前記Ｃ相の第１回路配線と前記Ｃ相の第２回路配線との間の電気接続をそれぞれ開閉するガス絶縁開閉装置であって、
前記各相の第１垂直管は、前記水平配置面と直交する第１の垂直面上に配置され、
前記各相の第２垂直管は、前記第１垂直面と平行な第２の垂直面上に配置され、
前記遮断器モジュールの各相のガス遮断器は、前記第１、第２の垂直面の間で互いに同じ基準軸線長さを有し、
前記第１の回路配線モジュールの前記各相の第１回路配線は、それぞれガス絶縁母線で構成され、前記第１の方向と直交する第２の方向に沿って互いに平行に延び、また、前記各相の第１回路配線は、直角二等辺三角形の各頂点に位置し、前記Ａ相とＢ相の各相の第１回路配線は、前記直角二等辺三角形の短辺の両端に位置して、前記第１の垂直面と第２の垂直面の間でそれらに平行な第３の垂直面上に配置され、前記Ｃ相の第１回路配線は、前記第１の垂直面と第３の垂直面の間でそれらに平行な第４の垂直面上に配置されたことを特徴とするガス絶縁開閉装置。
【請求項２】
請求項１記載のガス絶縁開閉装置であって、前記第３の垂直面が、前記各相のガス遮断器の基準軸線長さの中間点を通るように設定されたことを特徴とするガス絶縁開閉装置。
【請求項３】
請求項１記載のガス絶縁開閉装置であって、前記各相のガス遮断器は、一対の遮断用開閉スイッチを含み、これらの各遮断用開閉スイッチが、前記各相のガス遮断器の軸線に沿って配置されたことを特徴とするガス絶縁開閉装置。
【請求項４】
請求項１記載のガス絶縁開閉装置であって、さらに、前記第１の回路配線モジュールの上部に配置された第３の回路配線モジュールを備え、
この第３の回路配線モジュールは、Ａ相、Ｂ相、Ｃ相の各相の第３回路配線を含み、これらの各相の第３回路配線もガス絶縁母線で構成され、それぞれ前記各相の第１垂直管を通じて前記各相のガス遮断器に接続され、
前記各相の第３回路配線は、前記第２方向に沿って互いに平行に延び、また、前記各相の第３回路配線は、直角二等辺三角形の各頂点に位置し、前記Ａ相とＢ相の各相の第３回路配線は、前記直角二等辺三角形の短辺の両端に位置して、前記第３の垂直面上に配置され、前記Ｃ相の第３回路配線は、前記第４の垂直面上に配置されたことを特徴とするガス絶縁開閉装置。
【請求項５】
請求項１記載のガス絶縁開閉装置であって、前記各相の第１垂直管に、Ａ相、Ｂ相、Ｃ相の各相の第１の計器用変流器がそれぞれ配置され、また、前記各相の第２垂直管に、Ａ相、Ｂ相、Ｃ相の各相の第２の計器用変流器がそれぞれ配置されたことを特徴とするガス絶縁開閉装置。
【請求項６】
請求項１記載のガス絶縁開閉装置であって、さらに、前記各相の第１垂直管の上端部に水平に連結されたＡ相、Ｂ相、Ｃ相の各相の水平管を備え、前記各相の第１回路配線が、それぞれ前記各相の水平管と、前記各相の第１垂直管を通じて前記各相のガス遮断器に接続されたことを特徴とするガス絶縁開閉装置。
【請求項７】
請求項６記載のガス絶縁開閉装置であって、前記各相の水平管に、Ａ相、Ｂ相、Ｃ相の各相の断路器がそれぞれ配置されたことを特徴とするガス絶縁開閉装置。
【請求項８】
請求項１記載のガス絶縁開閉装置であって、前記各相の第１垂直管が互いに同じ垂直長さを有し、また前記各相の第２垂直管が互いに同じ垂直長さを有し、しかも前記各相の第１垂直管の垂直長さと、前記各相の第２垂直管の垂直長さとが互いに等しくされたことを特徴とするガス絶縁開閉装置。
【請求項９】
請求項１記載のガス絶縁開閉装置であって、
前記Ａ相の第１回路配線は、前記第３の垂直面上で前記Ａ相のガス遮断器の上部に延在し、
前記Ｂ相の第１回路配線は、前記第３の垂直面上で前記Ａ相とＢ相の各ガス遮断器の上部に延在し、
前記Ｃ相の第１回路配線は、第４の垂直面上で前記Ａ相、Ｂ相、Ｃ相の各ガス遮断器の上部に延在し、
また、前記第２の回路配線モジュールのＡ相、Ｂ相、Ｃ相の各相の第２回路配線は、それぞれガス絶縁母線で構成され、
前記Ａ相の第２回路配線は、前記Ａ相の第１回路配線と平行に、前記第３の垂直面上に配置され、前記Ａ相、Ｂ相、Ｃ相の各相のガス遮断器の上部に延在し、
前記Ｂ相の第２回路配線は、前記第３の垂直面上に、前記Ａ相の第１回路配線と同軸に配置され、前記Ｂ相とＣ相のガス遮断器の上部に延在し、
また前記Ｃ相の第２回路配線は、前記第３の垂直面上に、前記Ｂ相の第１回路配線と同軸上に配置され、前記Ｃ相のガス遮断器の上部に延在することを特徴とするガス絶縁開閉装置。
【請求項１０】
請求項９記載のガス絶縁開閉装置であって、さらに、前記Ａ相、Ｂ相、Ｃ相の各相の第２垂直管上に垂直に連結されたＡ相、Ｂ相、Ｃ相の各相の第３垂直管、およびこれらの各相の第３垂直管の上に前記第１方向に延びるように連結されたＡ相、Ｂ相、Ｃ相の各相の水平管を備え、
前記Ａ相の第２回路配線は、前記Ａ相の水平管と前記Ａ相の第３垂直管と前記Ａ相の第２垂直管を通じて前記Ａ相のガス遮断器に、前記Ｂ相の第２回路配線は、前記Ｂ相の水平管と前記Ｂ相の第３垂直管と前記Ｂ相の第２垂直管を通じて前記Ｂ相のガス遮断器に、また前記Ｃ相の第２回路配線は、前記Ｃ相の水平管と前記Ｃ相の第３垂直管と前記Ｃ相の第２垂直管を通じて前記Ｃ相のガス遮断器に、それぞれ接続されたことを特徴とするガス絶縁開閉装置。
【請求項１１】
請求項１０記載のガス絶縁開閉装置であって、さらに、
Ａ相、Ｂ相、Ｃ相の各相の第２ガス遮断器を含み、前記各相の第２ガス遮断器の軸線が、前記水平配置面上で、前記第１の方向に互いに平行に延びるように配置された第２の遮断器モジュール、
前記各相の第２ガス遮断器のそれぞれの一端部上に垂直に結合されたＡ相、Ｂ相、Ｃ相の各相の第４垂直管、
前記第２の遮断器モジュールの上部に配置され、前記各相の第４垂直管を通じて前記各相の第２ガス遮断器にそれぞれ接続されたＡ相、Ｂ相、Ｃ相の各相の第３回路配線を含む第３の回路配線モジュール、
前記各相の第２ガス遮断器のそれぞれの他端部上に垂直に結合されたＡ相、Ｂ相、Ｃ相の各相の第５垂直管、および
前記各相の第５垂直管を通じて前記各相の第２ガス遮断器にそれぞれ接続されたＡ相、Ｂ相、Ｃ相の第４回路配線を含む第４の回路配線モジュールを備え、
前記Ａ相の第２ガス遮断器が、前記Ａ相の第３回路配線と前記Ａ相の第４回路配線との間の電気接続を、前記Ｂ相の第２ガス遮断器が、前記Ｂ相の第３回路配線と前記Ｂ相の第４回路配線との間の電気接続を、また前記Ｃ相の第２ガス遮断器が、前記Ｃ相の第３回路配線と前記Ｃ相の第４回路配線との間の電気接続をそれぞれ開閉するガス絶縁開閉装置であって、
前記各相の第４垂直管は、前記第１の垂直面上に配置され、
前記各相の第５垂直管は、前記第２の垂直面上に配置され、
前記第２の遮断器モジュールの各相のガス遮断器は、前記第１、第２の垂直面の間で互いに同じ基準軸線長さを有し、
前記第３の回路配線モジュールの前記各相の第３回路配線は、それぞれガス絶縁母線で構成され、前記第２の方向に沿って互いに平行に延び、また、前記各相の第３回路配線は、直角二等辺三角形の各頂点に位置し、前記Ａ相とＢ相の各相の第３回路配線は、前記直角二等辺三角形の短辺の両端に位置して、前記第３の垂直面上に配置され、前記Ｃ相の第３回路配線は、前記第４の垂直面上に配置されたことを特徴とするガス絶縁開閉装置。
【請求項１２】
請求項１１記載のガス絶縁開閉装置であって、
前記Ａ相の第３回路配線は、前記第３の垂直面上で前記Ａ相の第２ガス遮断器の上部に延在し、
前記Ｂ相の第３回路配線は、前記第３の垂直面上で前記Ａ相とＢ相の各第２ガス遮断器の上部に延在し、
前記Ｃ相の第３回路配線は、前記第４の垂直面上で前記Ａ相、Ｂ相、Ｃ相の各ガス遮断器の上部に延在し、
前記Ａ相、Ｂ相、Ｃ相の各相の第４回路配線は、それぞれガス絶縁母線で構成され、
前記Ａ相の第４回路配線は、前記Ａ相の第３回路配線と平行に、前記第３の垂直面上に配置され、前記Ａ相、Ｂ相、Ｃ相の第２ガス遮断器の上部に延在し、
前記Ｂ相の第４回路配線は、前記第３の垂直面上に、前記Ａ相の第３回路配線と同軸に配置され、前記Ｂ相、Ｃ相の第２ガス遮断器の上部に延在し、
また前記Ｃ相の第４回路配線は、前記第３の垂直面上に、前記Ｂ相の第３回路配線と同軸に配置され、前記Ｃ相の第２ガス遮断器の上部に延在することを特徴とするガス絶縁開閉装置。
【請求項１３】
請求項１２記載のガス絶縁開閉装置であって、前記Ａ相のガス遮断器上において、それぞれ、前記第３の垂直面上に、下から上に向かって、前記Ｂ相の第１回路配線と、Ａ相の第１回路配線と、前記Ａ相の第２回路配線と、前記Ａ相の第３回路配線と、前記Ｂ相の第３回路配線が配置され、前記第３の垂直面上における前記Ａ相とＢ相の各第１回路配線の間隔をαとし、前記第３の垂直面上における前記Ａ相とＢ相の各第３回路配線の間隔をαとし、前記第３の垂直面上における前記Ａ相の第１回路配線と前記Ａ相の第３回路配線の間隔βを、２α≦β≦３αとしたことを特徴とするガス絶縁開閉装置。
【請求項１４】
請求項１３記載のガス絶縁開閉装置であって、さらに、前記第１の垂直面と第４の垂直面との間隔をαとし、前記第３の垂直面と第４の垂直面との間隔をαとし、前記第２の垂直面と第３の垂直面との間隔を２αとしたことを特徴とするガス絶縁開閉装置。
【請求項１５】
請求項１記載のガス絶縁開閉装置であって、前記第２の回路配線モジュールは、Ａ相、Ｂ相、Ｃ相の各相の第２回路配線を含み、これらの各相の第２回路配線もガス絶縁母線で構成され、それぞれ前記各相の第２垂直管を通じて前記各相のガス遮断器に接続され、
前記各相の第２回路配線は、前記第２の方向に沿って互いに平行に延び、また、前記各相の第２回路配線は、直角二等辺三角形の各頂点に位置し、前記Ａ相とＢ相の各相の第２回路配線は、前記直角二等辺三角形の短辺の両端に位置して、前記第３の垂直面上に配置され、前記Ｃ相の第２回路配線は、前記第４の垂直面上に配置されたことを特徴とするガス絶縁開閉装置。
【請求項１６】
請求項１５記載のガス絶縁開閉装置であって、さらに、前記Ａ相、Ｂ相、Ｃ相の各相の第２垂直管上に垂直に連結されたＡ相、Ｂ相、Ｃ相の各相の第３垂直管、およびこれらの各相の第３垂直管の上に前記第１方向に延びるように連結されたＡ相、Ｂ相、Ｃ相の各相の水平管を備え、
前記Ａ相の第２回路配線は、前記Ａ相の水平管と前記Ａ相の第３垂直管と前記Ａ相の第２垂直管を通じて前記Ａ相のガス遮断器に、前記Ｂ相の第２回路配線は、前記Ｂ相の水平管と前記Ｂ相の第３垂直管と前記Ｂ相の第２垂直管を通じて前記Ｂ相のガス遮断器に、また前記Ｃ相の第２回路配線は、前記Ｃ相の水平管と前記Ｃ相の第３垂直管と前記Ｃ相の第２垂直管を通じて前記Ｃ相のガス遮断器に、それぞれ接続されたことを特徴とするガス絶縁開閉装置。
【請求項１７】
請求項１６記載のガス絶縁開閉装置であって、前記Ｃ相のガス遮断器上において、前記Ａ相の第１回路配線を配置する回路配線ラインと前記Ａ相の第２回路配線を配置する回路配線ラインとの間に、前記第１の方向に延びるＣ相の接続管が前記第３の垂直面を横切るように配置され、前記Ｃ相の第２回路配線は、前記Ｃ相の接続管と、前記Ｃ相の水平管と、前記Ｃ相の第３垂直管と、前記Ｃ相の第２垂直管を通じて、前記Ｃ相のガス遮断器に接続されたことを特徴とするガス絶縁開閉装置。
【請求項１８】
請求項１７記載のガス絶縁開閉装置であって、前記第３の垂直面上に、下から上に向かって、前記Ｂ相の第１回路配線を配置する回路配線ラインと、Ａ相の第１回路配線を配置する回路配線ラインと、前記Ｃ相の接続管と、前記Ａ相の第２回路配線を配置する回路配線ラインと、前記Ｂ相の第２回路配線を配置する回路配線ラインが位置し、前記Ａ相の第１回路配線を配置する回路配線ラインとＢ相の第１回路配線を配置する回路配線ラインとの間隔をαとし、前記Ａ相の第２回路配線を配置する回路配線ラインとＢ相の第２回路配線を配置する回路配線ラインとの間隔をαとし、前記Ａ相の第１回路配線を配置する回路配線ラインと前記Ａ相の第２回路配線を配置する回路配線ラインの間隔βを、２α≦β≦３αとしたことを特徴とするガス絶縁開閉装置。
【請求項１９】
請求項１８記載のガス絶縁開閉装置であって、さらに、前記第１の垂直面と第４の垂直面との間隔をαとし、前記第３の垂直面と第４の垂直面との間隔をαとし、前記第２の垂直面と第３の垂直面との間隔を２αとしたことを特徴とするガス絶縁開閉装置。
【発明の詳細な説明】
【技術分野】
【０００１】
この発明は、Ａ相、Ｂ相、Ｃ相の各相のガス遮断器を含む遮断器モジュール、Ａ相、Ｂ相、Ｃ相の各相の第１回路配線を含む第１の回路配線モジュール、およびＡ相、Ｂ相、Ｃ相の各相の第２回路配線を含む第２の回路配線モジュールを備え、前記Ａ相のガス遮断器が、前記Ａ相の第１回路配線とＡ相の第２回路配線との間の電気接続を、前記Ｂ相のガス遮断器が、前記Ｂ相の第１回路配線とＢ相の第２回路配線との間の電気接続を、また前記Ｃ相のガス遮断器が、前記Ｃ相の第１回路配線とＣ相の第２回路配線の間の電気接続を、それぞれ開閉するガス絶縁開閉装置に関するものである。
【背景技術】
【０００２】
特開平１１−８９１６号公報（特許文献１）の図１〜３には、Ａ相、Ｂ相、Ｃ相の各相のガス遮断器を、それらの軸線長さの方向に、互いにモジュール寸法Ｍだけずらして、共通の水平配置面上に配置し、Ａ相、Ｂ相、Ｃ相の各相の第１回路配線を、各相のガス遮断器と直交するように、互いに平行に配置したガス絶縁開閉装置が開示されている。また、特許文献１の図８、図９には、Ａ相、Ｂ相、Ｃ相の各相のガス遮断器を、互いにずらすことなく、共通の水平配置面上に配置し、Ａ相、Ｂ相、Ｃ相の各相の第１回路配線を、互いに垂直方向に軸間隔ｓだけずらし、各相のガス遮断器と直交するように、互いに平行に配置したガス絶縁開閉装置が開示されている。【０００３】
【特許文献１】特開平１１−８９１６号公報、とくにその図１〜３とその説明、およびその図８、図９とその説明
【発明の開示】
【発明が解決しようとする課題】
【０００４】
しかし、特許文献１の図１〜３に開示されたガス絶縁開閉装置では、各相のガス遮断器が、それらの軸線長さの方向に、互いにモジュール寸法Ｍだけずらして配置されるので、各相のガス遮断器を配置するスペースが、ガス遮断器の軸線長さの方向に、拡大する。また、特許文献１の図８、図９に開示されたガス絶縁開閉装置では、各相の第１回路配線が、互いに垂直方向に軸間隔ｓだけずらして配置されるので、第１回路配線を配置するスペースが垂直方向に拡大する。【０００５】
この発明は、このような配置スペースの拡大を抑制し、よりコンパクトなスペースに配置することのできる改良されたガス絶縁開閉装置を提案する。
【課題を解決するための手段】
【０００６】
この発明によるガス絶縁開閉装置は、Ａ相、Ｂ相、Ｃ相の各相のガス遮断器を含み、前記各相のガス遮断器の軸線が、共通の水平配置面上で、第１の方向に互いに平行に延びるように配置された遮断器モジュール、前記各相のガス遮断器のそれぞれの一端部上に垂直に結合されたＡ相、Ｂ相、Ｃ相の各相の第１垂直管、前記遮断器モジュールの上部に配置され、前記各相の第１垂直管を通じて前記各相のガス遮断器にそれぞれ接続されたＡ相、Ｂ相、Ｃ相の各相の第１回路配線を含む第１の回路配線モジュール、前記各相のガス遮断器のそれぞれの他端部上に垂直に結合されたＡ相、Ｂ相、Ｃ相の各相の第２垂直管、および前記各相の第２垂直管を通じて前記各相のガス遮断器にそれぞれ接続されたＡ相、Ｂ相、Ｃ相の第２回路配線を含む第２の回路配線モジュールを備え、前記Ａ相のガス遮断器が、前記Ａ相の第１回路配線と前記Ａ相の第２回路配線との間の電気接続を、前記Ｂ相のガス遮断器が、前記Ｂ相の第１回路配線と前記Ｂ相の第２回路配線との間の電気接続を、また前記Ｃ相のガス遮断器が、前記Ｃ相の第１回路配線と前記Ｃ相の第２回路配線との間の電気接続をそれぞれ開閉するガス絶縁開閉装置であって、前記各相の第１垂直管は、前記水平配置面と直交する第１の垂直面上に配置され、前記各相の第２垂直管は、前記第１の垂直面と平行な第２の垂直面上に配置され、前記遮断器モジュールの各相のガス遮断器は、前記第１、第２の垂直面の間で互いに同じ基準軸線長さを有し、前記第１の回路配線モジュールの前記各相の第１回路配線は、それぞれガス絶縁母線で構成され、前記第１の方向と直交する第２の方向に沿って互いに平行に延び、また、前記各相の第１回路配線は、直角二等辺三角形の各頂点に位置し、前記Ａ相とＢ相の各相の第１回路配線は、前記直角二等辺三角形の短辺の両端に位置して、前記第１の垂直面と第２の垂直面の間でそれらに平行な第３の垂直面上に配置され、前記Ｃ相の第１回路配線は、前記第１の垂直面と第３の垂直面の間でそれらに平行な第４垂直面上に配置されたことを特徴とする。
【発明の効果】
【０００７】
この発明によるガス絶縁開閉装置では、前記各相の第１垂直管は、前記水平配置面と直交する第１の垂直面上に配置され、前記各相の第２垂直管は、前記第１の垂直面と平行な第２の垂直面上に配置され、前記遮断器モジュールの各相のガス遮断器は、前記第１、第２の垂直面の間で互いに同じ基準軸線長さを有し、前記第１の回路配線モジュールの前記各相の第１回路配線は、それぞれガス絶縁母線で構成され、前記第１の方向と直交する第２の方向に沿って互いに平行に延び、また、前記各相の第１回路配線は、直角二等辺三角形の各頂点に位置し、前記Ａ相とＢ相の各相の第１回路配線は、前記直角二等辺三角形の短辺の両端に位置して、前記第１の垂直面と第２の垂直面の間でそれらに平行な第３の垂直面上に配置され、前記Ｃ相の第１回路配線は、前記第１の垂直面と第３の垂直面の間でそれらに平行な第４の垂直面上に配置されるので、各相のガス遮断器モジュールを配置するスペースを縮小することができ、また、第１の回路配線モジュールの各相の第１回路配線を配置するスペースを垂直方向に縮小することができ、よりコンパクトなガス絶縁開閉装置を実現することができる。【０００８】
この発明の目的、特徴、観点および効果は、図面を参照する以下のこの発明の詳細な説明から、さらに明らかとされる。
【発明を実施するための最良の形態】
【０００９】
以下この発明のいくつかの実施の形態について、図面を参照して説明する。【００１０】
実施の形態１．
図１は、この発明によるガス絶縁開閉装置の実施の形態１の左側面図、図２はその平面図、図３Ａは、そのＡ相の垂直配置面ＶＳＡに対応する正面図、図３Ｂは、そのＢ相の垂直配置面ＶＳＢに対応する正面図、図３Ｃは、そのＣ相の垂直配置面ＶＳＣに対応する正面図、図４は、図３Ａ、図３Ｂ、図３ＣのＺ−Ｚ線による断面図である。【００１１】
この図１、図２、図３Ａ、図３Ｂ、図３Ｃ、図４に示された実施の形態１のガス絶縁開閉装置１００は、送電線ユニットまたは変圧器ユニットと呼ばれるガス絶縁開閉装置である。このガス絶縁開閉装置１００は、遮断器モジュール１０と、第１の回路配線モジュール５０と、第２の回路配線モジュール６０と、第３の回路配線モジュール７０を含む。第１、第３の回路配線モジュール５０、７０は、複母線構造を構成し、これらの第１、第３の回路配線モジュール５０、７０と、第２の回路配線モジュール６０との間の電気接続を、遮断器モジュール１０が開閉する。なお、図２では、第２の回路配線モジュール６０を省略している。【００１２】
遮断器モジュール１０は、Ａ相のガス遮断器１１Ａと、Ｂ相のガス遮断器１１Ｂと、Ｃ相のガス遮断器１１Ｃと、共通の架台１３を含む。架台１３は、図１、図３Ａ、図３Ｂ、図３Ｃに示すように、据付面１４上に固定される。各相のガス遮断器１１Ａ、１１Ｂ、１１Ｃは、架台１３上に固定される。各相のガス遮断器１１Ａ、１１Ｂ、１１Ｃは円筒状に構成され、図１、図４に示すように、それぞれ軸線１２ａ、１２ｂ、１２ｃを有する。各相のガス遮断器１１Ａ、１１Ｂ、１１Ｃは、水平配置平面ＨＳ０上に配置され、それぞれ架台１３に取り付けられる。【００１３】
実施の形態１のガス絶縁開閉装置１００の構成を説明するために、ｘ軸とｙ軸とｚ軸を含む３軸直交座標を想定し、水平配置平面ＨＳ０がこの３軸直交座標のｘ、ｙ平面に存在するものとする。各相のガス遮断器１１Ａ、１１Ｂ、１１Ｃは、図１、図４に示すように、それぞれの軸線１２ａ、１２ｂ、１２ｃが、ｘｙ平面上に位置し、しかもそれぞれの軸線１２ａ、１２ｂ、１２ｃが、第１の方向に沿って、互いにほぼ平行に延びるように、配置される。ここで、第１の方向は、３軸直交座標のｘ軸の方向である。【００１４】
遮断器モジュール１０に関連して、図１、図２、図４に示すように、Ａ相の垂直配置面ＶＳＡと、Ｂ相の垂直配置面ＶＳＢと、Ｃ相の垂直配置面ＶＳＣを設定する。Ａ相の垂直配置面ＶＳＡは、水平配置平面ＨＳ０と垂直であって、Ａ相のガス遮断器１１Ａの軸線１２ａを含む垂直平面である。Ｂ相の垂直配置面ＶＳＢは、水平配置平面ＨＳ０と垂直であって、Ｂ相のガス遮断器１１Ｂの軸線１２ｂを含む垂直平面である。Ｃ相の垂直配置面ＶＳＣは、水平配置平面ＨＳ０と垂直であって、Ｃ相のガス遮断器１１Ｃの軸線１２ｃを含む垂直平面である。これらのＡ相、Ｂ相、Ｃ相の垂直配置面ＶＳＡ、ＶＳＢ、ＶＳＣは、３軸直交座標のｘ、ｚ平面に平行であり、互いに平行な平面である。図１、図２に示す垂直配置面ＶＳＡ、ＶＳＢの相間間隔ｍと、垂直配置面ＶＳＢ、ＶＳＣの相間間隔ｍは、互いに等しい。図３Ａは、Ａ相の垂直配置面ＶＳＡに対応する正面図、図３Ｂは、Ｂ相の垂直配置面ＶＳＢに対応する正面図、図３Ｃは、Ｃ相の垂直配置面ＶＳＣに対応する正面図である。【００１５】
各相のガス遮断器１１Ａ、１１Ｂ、１１Ｃの左端部上に、Ａ相、Ｂ相、Ｃ相の各相の第１垂直管２１Ａ、２１Ｂ、２１Ｃが、垂直に結合される。同様に、各相のガス遮断器１１Ａ、１１Ｂ、１１Ｃの右端部上に、Ａ相、Ｂ相、Ｃ相の第２垂直管３１Ａ、３１Ｂ、３１Ｃが、垂直に結合される。各相の第１垂直管２１Ａ、２１Ｂ、２１Ｃに関連して、第１の垂直平面ＶＳ１を設定し、各相の第２垂直管３１Ａ、３１Ｂ、３１Ｃに関連して、第２に垂直平面ＶＳ２を設定する。第１の垂直平面ＶＳ１は、水平配置平面ＨＳ０と垂直であって、各相のガス遮断器１１Ａ、１１Ｂ、１１Ｃの左端部に交差する垂直平面である。第２の垂直平面ＶＳ２は、水平配置平面ＨＳ０と垂直であって、各相のガス遮断器１１Ａ、１１Ｂ、１１Ｃの右端部に交差する垂直平面である。第１、第２垂直平面ＶＳ１、ＶＳ２は、３軸直交座標のｙｚ平面と平行であり、互いに平行な平面であって、Ａ相、Ｂ相、Ｃ相の垂直配置面ＶＳＡ、ＶＳＢ、ＶＳＣにそれぞれ直交する。第１、第２の垂直平面ＶＳ１、ＶＳ２の間には、遮断器モジュール１０の上部に回路配線スペースＣＳが形成される。この回路配線スペースＣＳは、水平方向の幅Ｗ０が、第１、第２の垂直平面ＶＳ１、ＶＳ２の間の間隔に等しく、Ａ相、Ｂ相、Ｃ相の垂直配置面ＶＳＡ、ＶＳＢ、ＶＳＣを横切り、第１、第２の垂直平面ＶＳ１、ＶＳ２の間を延びている。【００１６】
第１垂直管２１Ａ、２１Ｂ、２１Ｃは、それぞれの軸線が、第１の垂直平面ＶＳ１上に位置するようにして、各相のガス遮断器１１Ａ、１１Ｂ、１１Ｃの左端部上に垂直に結合される。具体的には、Ａ相の第１垂直管２１Ａは、図２に示すように、その軸線が、第１の垂直平面ＶＳ１とＡ相の垂直配置面ＶＳＡとの交差線上に位置するようにして、Ａ相のガス遮断器１１Ａの左端部上に結合される。Ｂ相の第１垂直管２１Ｂは、図２に示すように、その軸線が、第１の垂直平面ＶＳ１とＢ相の垂直配置面ＶＳＢとの交差線上に位置するようにして、Ｂ相のガス遮断器１１Ｂの左端部上に結合される。同様に、Ｃ相の第１垂直管２１Ｃは、図２に示すように、その軸線が、第１の垂直平面ＶＳ１とＣ相の垂直配置面ＶＳＣとの交差線上に位置するようにして、Ｃ相のガス遮断器１１Ｃの左端部上に結合される。【００１７】
各相の第２垂直管３１Ａ、３１Ｂ、３１Ｃは、それぞれの軸線が、第２の垂直平面ＶＳ２上に位置するようにして、各相のガス遮断器１１Ａ、１１Ｂ、１１Ｃの右端部上に垂直に結合される。具体的には、Ａ相の第２垂直管３１Ａは、図２に示すように、その軸線が、第２の垂直平面ＶＳ２とＡ相の垂直配置面ＶＳＡとの交差線上に位置するようにして、Ａ相のガス遮断器１１Ａの右端部上に結合される。Ｂ相の第２垂直管３１Ｂは、図２に示すように、その軸線が、第２の垂直平面ＶＳ２とＢ相の垂直配置面ＶＳＢとの交差線上に位置するようにして、Ｂ相のガス遮断器１１Ｂの右端部上に結合される。同様に、Ｃ相の第２垂直管３１Ｃは、図２に示すように、その軸線が、第２の垂直平面ＶＳ２とＣ相の垂直配置面ＶＳＣとの交差線上に位置するようにして、Ｃ相のガス遮断器１１Ｃの右端部上に結合される。【００１８】
各相の第１垂直管２１Ａ、２１Ｂ、２１Ｃは、互いに等しい垂直長さＬＶ１を有し、また各相の第２垂直管３１Ａ、３１Ｂ、３１Ｃは、互いに等しい垂直長さＬＶ２を有する。垂直長さＬＶ１と垂直長さＬＶ２は、互いに等しい長さとされ、ＬＶ１＝ＬＶ２である。【００１９】
各相のガス遮断器１１Ａ、１１Ｂ、１１Ｃは、第１、第２の垂直平面ＶＳ１、ＶＳ２の間に、それぞれ基準軸線長さＬＳを有する。各相のガス遮断器１１Ａ、１１Ｂ、１１Ｃの基準軸線長さＬＳは、互いに同じ長さとされる。この基準軸線長さＬＳは、回路配線スペースＣＳの水平方向の幅Ｗ０に等しい。各相のガス遮断器１１Ａ、１１Ｂ、１１Ｃは、それぞれの基準軸線長さＬＳの中間点をＰとして、各相のガス遮断器１１Ａ、１１Ｂ、１１Ｃのそれぞれの軸線長さＬＳの中間点Ｐが、ｙ軸と平行な第２の方向に整列するようにして、配置される。ここで、第２の方向は、ｙ軸と平行な方向である。結果として、各相のガス遮断器１１Ａ、１１Ｂ、１１Ｃの両端面で規制される配置スペース幅ＷＳは、各相のガス遮断器１１Ａ、１１Ｂ、１１Ｃの基準軸線長さＬＳに、各相のガス遮断器１１Ａ、１１Ｂ、１１Ｃの両端部の端部長さを加えた長さとなり、各相のガス遮断器１１Ａ、１１Ｂ、１１Ｃは、この配置スペース幅ＷＳの中に、コンパクトに配置される。【００２０】
各相のガス遮断器１１Ａ、１１Ｂ、１１Ｃは、それぞれ２点切りと呼ばれるガス遮断器で構成され、図３Ａ、図３Ｂ、図３Ｃに示すように、それぞれ内部に、２つの遮断用開閉スイッチ１１ａ、１１ｂを含む。これらの遮断用開閉スイッチ１１ａ、１１ｂは、各相のガス遮断器１１Ａ、１１Ｂ、１１Ｃの内部に、それぞれ軸線１２ａ、１２ｂ、１２ｃに沿って配置され、互いに直列に接続される。各相のガス遮断器１１Ａ、１１Ｂ、１１Ｃの下部には、図１、図３Ａ、図３Ｂ、図３Ｃに示すように、スイッチ駆動機構１５Ａ、１５Ｂ、１５Ｃが取り付けられる。スイッチ駆動機構１５Ａ、１５Ｂ、１５Ｃは、それぞれ各相のガス遮断器１１Ａ、１１Ｂ、１１Ｃの各遮断用開閉スイッチ１１ａ、１１ｂを同時に開閉するように駆動する。各相のガス遮断器１１Ａ、１１Ｂ、１１Ｃがそれぞれ、軸線１２ａ、１２ｂ、１２ｃに沿って配置された２つの直列接続された遮断用開閉スイッチ１１ａ、１１ｂを含むので、それぞれの基準軸線長さＬＳは、比較的大きな寸法となり、回路配線スペースＣＳも比較的大きな寸法となる。【００２１】
各相の第１垂直管２１Ａ、２１Ｂ、２１Ｃの上端には、図１、図３Ａ、図３Ｂ、図３Ｃ、図４に示すように、それぞれＡ相、Ｂ相、Ｃ相の各相の第１水平管２２Ａ、２２Ｂ、２２Ｃが連結される。この各相の第１水平管２２Ａ、２２Ｂ、２２Ｃは、それぞれ水平配置平面ＨＳ０と平行な第１の水平平面ＨＳ１上に、第１の方向、すなわちｘ軸の方向に沿って、回路配線スペースＣＳに向かって水平に延長される。具体的には、Ａ相の第１水平管２２Ａは、図４に示すように、第１の水平平面ＨＳ１とＡ相の垂直配置面ＶＳＡとの交差線上に配置され、Ｂ相の第１水平管２２Ｂは、第１水平平面ＨＳ１とＢ相の垂直配置面ＶＳＢとの交差線上に配置され、またＣ相の第１水平管２２Ｃは、第１水平平面ＨＳ１とＣ相の垂直配置面ＶＳＣとの交差線上に配置される。【００２２】
Ａ相、Ｂ相、Ｃ相の第１水平管２２Ａ、２２Ｂ、２２Ｃ上には、図１、図３Ａ、図３Ｂ、図３Ｃに示すように、それぞれＡ相、Ｂ相、Ｃ相の第３垂直管２３Ａ、２３Ｂ、２３Ｃが結合される。この各相の第３垂直管２３Ａ、２３Ｂ、２３Ｃは、対応する各相の第１垂直管２１Ａ、２１Ｂ、２１Ｃと同軸に配置される。各相の第３垂直管２３Ａ、２３Ｂ、２３Ｃは、各相の第１垂直管２１Ａ、２１Ｂ、２１Ｃとともに、第１の垂直平面ＶＳ１上に、水平配置平面ＨＳ０に垂直に配置される。Ａ相の第３垂直管２３Ａは、第１の垂直平面ＶＳ１とＡ相の垂直配置面ＶＳＡとの交差線上に配置され、Ｂ相の第３垂直管２３Ｂは、第１の垂直平面ＶＳ１とＢ相の垂直配置面ＶＳＢとの交差線上に配置され、またＣ相の第３垂直管２３Ｃは、第１の垂直平面ＶＳ１とＣ相の垂直配置面ＶＳＣとの交差線上に配置される。【００２３】
各相の第３垂直管２３Ａ、２３Ｂ、２３Ｃに上端に、それぞれＡ相、Ｂ相、Ｃ相の第３水平管２４Ａ、２４Ｂ、２４Ｃが結合される。この各相の第３水平管２４Ａ、２４Ｂ、２４Ｃは、水平配置平面ＨＳ０と平行な第２の水平平面ＶＳ２上に、第１の方向、すなわちｘ軸の方向に、回路配線スペースＣＳに向かって水平に延長される。Ａ相の第３水平管２４Ａは、第２の水平平面ＶＳ２とＡ相の垂直配置面ＶＳＡとの交差線上に配置され、Ｂ相の第３水平管２４Ｂは、第２の水平平面ＶＳ２とＢ相の垂直配置面ＶＳＢとの交差線上に配置され、またＣ相の第３水平管２４Ｃは、第２の水平平面ＶＳ２とＣ相の垂直配置面ＶＳＣとの交差線上に配置される。【００２４】
各相の第２垂直管３１Ａ、３１Ｂ、３１Ｃの上端には、図３Ａ、図３Ｂ、図３Ｃに示すように、それぞれＡ相、Ｂ相、Ｃ相の第２水平管３２Ａ、３２Ｂ、３２Ｃが連結される。この各相の第２水平管３２Ａ、３２Ｂ、３２Ｃは、それぞれ第１の水平平面ＨＳ１上に、第１の方向、すなわちｘ軸の方向に沿って、回路配線スペースＣＳの外側に向かって水平に延長される。具体的には、Ａ相の第２水平管３２Ａは、第１の水平平面ＨＳ１とＡ相の垂直配置面ＶＳＡとの交差線上に配置され、Ｂ相の第２水平管３２Ｂは、第１水平平面ＨＳ１とＢ相の垂直配置面ＶＳＢとの交差線上に配置され、またＣ相の第２水平管３２Ｃは、第１水平平面ＨＳ１とＣ相の垂直配置面ＶＳＣとの交差線上に配置される。【００２５】
第１の回路配線モジュール５０は、水平配置平面ＨＳ０の上部において、回路配線スペースＣＳに配置され、Ａ相、Ｂ相、Ｃ相の各相の第１回路配線５１Ａ、５１Ｂ、５１Ｃを含む。これらの各相の第１回路配線５１Ａ、５１Ｂ、５１Ｃは、それぞれガス絶縁母線で構成される。これらの各相の第１回路配線５１Ａ、５１Ｂ、５１Ｃは、それぞれ回路配線スペースＣＳ内において、回路配線ラインＬ１、Ｌ２、Ｌ３上に配置される。これらの回路配線ラインＬ１、Ｌ２、Ｌ３は、Ａ相、Ｂ相、Ｃ相の垂直配置面ＶＳＡ、ＶＳＢ、ＶＳＣと直交する直線であり、第２の方向、すなわち３軸直交座標のｙ軸と平行に配置される。【００２６】
具体的には、図３Ａ、図３Ｂ、図３Ｃに示すように、第１の垂直平面ＶＳ１と第２の垂直平面ＶＳ２との間の回路配線スペースＣＳに、第１、第２の垂直平面ＶＳ１、ＶＳ２に平行な第３の垂直平面ＶＳ３を設定する。この第３の垂直平面ＶＳ３は、具体的には、第１の垂直平面ＶＳ１と第２の垂直平面ＶＳ２とのちょうど中間に位置し、各相のガス遮断器１１Ａ、１１Ｂ、１１Ｃの各基準軸線長さＬＳの中間点Ｐを通る垂直平面である。この第３の垂直平面ＶＳ３と第１の垂直平面ＶＳ１との水平方向の間隔は２αであり、また第３の垂直平面ＶＳ３と第２の垂直平面ＶＳ２との水平方向の間隔も２αである。また、第１の垂直平面ＶＳ１と第３の垂直平面ＶＳ３との間に、それらに平行な第４の垂直平面ＶＳ４を設定する。この第４の垂直平面ＶＳ４は、第１の垂直平面ＶＳ１と第３の垂直平面ＶＳ３とのちょうど中間に位置する。この第４の垂直平面ＶＳ４と第３の垂直平面ＶＳ３との水平方向の間隔はαであり、また第４の垂直平面ＶＳ４と第１の垂直平面ＶＳ１との水平方向の間隔もαである。【００２７】
回路配線ラインＬ１、Ｌ２は、第３の垂直平面ＶＳ３上に位置するように設定される。回路配線ラインＬ１は、回路配線ラインＬ２の真上に位置する。これらの回路配線ラインＬ１、Ｌ２の垂直方向の間隔はαである。回路配線ラインＬ１は、第１の水平平面ＨＳ１と第３の垂直平面ＶＳ３との交差線上に設定される。回路配線ラインＬ３は、第４の垂直平面ＶＳ４上に設定され、回路配線ラインＬ２から水平方向に間隔αだけ離れている。【００２８】
回路配線ラインＬ１、Ｌ２、Ｌ３は、また、直角二等辺三角形の各頂点に設定される。回路配線ラインＬ１、Ｌ３の間がその直角二等辺三角形の斜辺、すなわち長辺である。回路配線ラインＬ１、Ｌ２は、その直角二等辺三角形の第１の短辺の両端に位置する。回路配線ラインＬ２、Ｌ３は、直角二等辺三角形の第２の短辺の両端に位置する。【００２９】
結果として、第１の回路配線モジュール５０の各相の第１回路配線５１Ａ、５１Ｂ、５１Ｃは、第１の方向（ｘ軸の方向）と直交する第２の方向（ｙ軸の方向）に沿って互いに平行に延び、また、各相の第１回路配線５１Ａ、５１Ｂ、５１Ｃは、直角二等辺三角形の各頂点に位置し、Ａ相とＢ相の各相の第１回路配線５１Ａ、５１Ｂは、直角二等辺三角形の短辺の両端に位置して、第１の垂直平面ＶＳ１と第２の垂直平面ＶＳ２の間でそれらに平行な第３の垂直平面ＶＳ３上に配置され、Ｃ相の第１回路配線５１Ｃは、第１の垂直平面ＶＳ１と第３の垂直平面ＶＳ３の間でそれらに平行な第４の垂直平面ＶＳ４上に配置される。【００３０】
Ａ相の第１回路配線５１Ａは、図３Ａに示すように、Ａ相の第１水平管２２Ａと、Ａ相の第１垂直管２１Ａとを通じて、Ａ相のガス遮断器１１Ａの左端部に接続される。同様に、Ｂ相の第１回路配線５１Ｂは、図３Ｂに示すように、Ｂ相の第１水平管２２Ｂと、Ｂ相の第１垂直管２１Ｂを通じてＢ相のガス遮断器１１Ｂの左端部に接続される。またＣ相の第１回路配線５１Ｃは、図３Ｃに示すように、Ｃ相の第１水平管２２Ｃと、Ｃ相の第１垂直管２１Ｃを通じてＣ相のガス遮断器１１Ｃの左端部に接続される。各相の水平管２２Ａ、２２Ｂ、２２Ｃは、第１の回路配線モジュール５０の各相の第１回路配線５１Ａ、５１Ｂ、５１のそれぞれに対応する断路器ＤＳを内蔵する。また、各相の第１垂直管２１Ａ、２１Ｂ、２１Ｃは、第１の回路配線モジュール５０の各相の第１回路配線５１Ａ、５１Ｂ、５１Ｃのそれぞれに対応する計器用変流器ＣＴを内蔵する。【００３１】
第２の回路配線モジュール６０は、図３Ａ、図３Ｂ、図３Ｃに示すように、配置スペース幅ＷＳの外側に配置される。第２の回路配線モジュール６０は、Ａ相、Ｂ相、Ｃ相の各相の第２回路配線６１Ａ、６１Ｂ、６１Ｃを含む。これらの第２回路配線６１Ａ、６１Ｂ、６１Ｃは、ガス絶縁開閉装置１００が送電線ユニットとして構成される場合には、各相の送電線に接続され、またガス絶縁開閉装置１００が変圧器ユニットとして構成される場合には、変圧器の各相コイルに接続される。【００３２】
各相の第２回路配線６１Ａ、６１Ｂ、６１Ｃは、それぞれ図３Ａ、図３Ｂ、図３Ｃに示すように、各相の第２水平管３２Ａ、３２Ｂ、３２Ｃと、各相の第２垂直管３１Ａ、３１Ｂ、３１Ｃを通じて、各相のガス遮断器１１Ａ、１１Ｂ、１１Ｃの各右端部に接続される。各相の第２水平管３２Ａ、３２Ｂ、３２Ｃは、第２の回路配線モジュール６０の各相の第２回路配線６１Ａ、６１Ｂ、６１Ｃのそれぞれに対応する断路器ＤＳを内蔵し、また各相の第２垂直管３１Ａ、３１Ｂ、３１Ｃは、第２の回路配線モジュール６０の各相の第２回路配線６１Ａ、６１Ｂ、６１Ｃに対応する計器用変流器ＣＴを内蔵する。【００３３】
第３の回路配線モジュール７０は、回路配線スペースＣＳにおいて、第１の回路配線モジュール５０のさらに上部に配置される。この第３の回路配線モジュール７０は、Ａ相、Ｂ相、Ｃ相の第３回路配線７１Ａ、７１Ｂ、７１Ｃを含む。これらの各相の第３回路配線７１Ａ、７１Ｂ、７１Ｃも、各相の第１回路配線５１Ａ、５１Ｂ、５１Ｃと同様に、ガス絶縁母線で構成され、各相の第１回路配線５１Ａ、５１Ｂ、５１Ｃとともに複母線構造を構成する。Ａ相、Ｂ相、Ｃ相の各相の第３回路配線７１Ａ、７１Ｂ、７１Ｃは、それぞれ回路配線ラインＬ５、Ｌ６、Ｌ７上に配置される。各回路配線ラインＬ５、Ｌ６、Ｌ７は、回路配線スペースＣＳ内に、第２の方向、すなわちｙ軸の方向に各垂直配置面ＶＳＡ、ＶＳＢ、ＶＳＣと直交する直線であり、回路配線ラインＬ１、Ｌ２、Ｌ３と平行に延びる。【００３４】
回路配線ラインＬ５、Ｌ６は、第３の垂直平面ＶＳ３上に配置され、回路配線ラインＬ７は、第４の垂直平面ＶＳ４上に配置される。回路配線ラインＬ５、Ｌ６、Ｌ７は、また、それぞれ直角二等辺三角形の各頂点に配置される。回路配線ラインＬ５と回路配線ラインＬ７との間が直角二等辺三角形の斜辺、すなわち長辺である。回路配線ラインＬ５、Ｌ６は、直角二等辺三角形の第１の短辺の両端に位置する。回路配線ラインＬ５は、回路配線ラインＬ６の真下に配置され、それらの垂直方向の間隔はαである。回路配線ラインＬ５は、第２の水平平面ＨＳ２と第３の垂直平面ＶＳ３との交差線上に位置する。回路配線ラインＬ６、Ｌ７は、直角二等辺三角形の第２の短辺の両端に位置する。回路配線ラインＬ６、Ｌ７の水平方向の間隔もαである。回路配線ラインＬ５は、回路配線ラインＬ１の上に位置し、それらの垂直方向の間隔はβである。この間隔βは、２α≦β≦３αの条件を満足するように設定される。【００３５】
結果として、第３の回路配線モジュール７０の各相の第３回路配線７１Ａ、７１Ｂ、７１Ｃは、第２の方向（ｙ軸の方向）に沿って互いに平行に延び、また、各相の第３回路配線７１Ａ、７１Ｂ、７１Ｃは、直角二等辺三角形の各頂点に位置し、Ａ相とＢ相の各相の第３回路配線７１Ａ、７１Ｂは、直角二等辺三角形の短辺の両端に位置して、第３の垂直平面ＶＳ３上に配置され、また、Ｃ相の第３回路配線７１Ｃは、第４の垂直平面ＶＳ４上に配置される。【００３６】
Ａ相の第３回路配線７１Ａは、図３Ａに示すように、Ａ相の第３水平管２４Ａと、Ａ相の第３垂直管２３Ａと、Ａ相の第１水平管２２Ａと、Ａ相の第１垂直管２１Ａを通じて、Ａ相のガス遮断器１１Ａの左端部に接続される。同様に、Ｂ相の第３回路配線７１Ｂは、図３Ｂに示すように、Ｂ相の第３水平管２４Ｂと、Ｂ相の第３垂直管２３Ｂと、Ｂ相の第１水平管２２Ｂと、Ｂ相の第１垂直管２１Ｂを通じてＢ相のガス遮断器１１Ｂの左端部に接続される。またＣ相の第３回路配線７１Ｃは、図３Ｃに示すように、Ｃ相の第３水平管２４Ｃと、Ｃ相の第３垂直管２３Ｃと、Ｃ相の第１水平管２２Ｃと、Ｃ相の第１垂直管２１Ｃを通じてＣ相のガス遮断器１１Ｃの左端部に接続される。各相の第３水平管２４Ａ、２４Ｂ、２４Ｃは、第３の回路配線モジュール７０の各相の第１回路配線７１Ａ、７１Ｂ、７１Ｃにそれぞれ対応する断路器ＤＳを内蔵する。なお、各相の第１垂直管２１Ａ、２１Ｂ、２１Ｃに内蔵された計器用変流器ＣＴは、それぞれ第３の回路配線モジュール７０の各相の第３回路配線７１Ａ、７１Ｂ、７１Ｃのそれぞれにも対応する。【００３７】
実施の形態１のガス絶縁開閉装置１００では、Ａ相のガス遮断器１１Ａは、第１の回路配線モジュール５０のＡ相の第１回路配線５１Ａと、第２の回路配線モジュール６０のＡ相の第２回路配線６１Ａとの間の電気接続、および第３の回路配線モジュール７０のＡ相の第３回路配線７１Ａと、第２の回路配線モジュール６０のＡ相の第２回路配線６１Ａとの間の電気接続を開閉する。Ｂ相のガス遮断器１１Ｂは、第１の回路配線モジュール５０のＢ相の第１回路配線５１Ｂと、第２の回路配線モジュール６０のＢ相の第２回路配線６１Ｂとの間の電気接続、および第３の回路配線モジュール７０のＢ相の第３回路配線７１Ｂと、第２の回路配線モジュール６０のＢ相の第２回路配線６１Ｂとの間の電気接続を開閉する。同様に、Ｃ相のガス遮断器１１Ｃは、第１の回路配線モジュール５０のＣ相の第１回路配線５１Ｃと、第２の回路配線モジュール６０のＣ相の第２回路配線６１Ｃとの間の電気接続、および第３の回路配線モジュール７０のＣ相の第３回路配線７１Ｃと、第２の回路配線モジュール６０のＣ相の第２回路配線６１Ｃとの間の電気接続を開閉する。【００３８】
実施の形態１のガス絶縁開閉装置１００では、各相の第１垂直管２１Ａ、２１Ｂ、２１Ｃは、各相のガス遮断器１１Ａ、１１Ｂ、１１Ｃが配置された水平配置平面ＨＳ０と直交する第１の垂直平面ＶＳ１上に配置され、また各相の第２垂直管３１Ａ、３１Ｂ、３１Ｃは、第１の垂直平面ＶＳ１と平行な第２の垂直平面ＶＳ２上に配置され、遮断器モジュール１０の各相のガス遮断器１１Ａ、１１Ｂ、１１Ｃは、第１、第２の垂直平面ＶＳ１、ＶＳ２の間で互いに同じ基準軸線長さＬＳを有し、それぞれの基準軸線長さＬＳの中間点Ｐが、各相のガス遮断器１１Ａ、１１Ｂ、１１Ｃの軸線が延長される第１の方向と直交する第２の方向に整列するように配置されるので、各相のガス遮断器１１Ａ、１１Ｂ、１１Ｃの基準軸線長さＬＳを中心として、コンパクトな配置スペース幅ＷＳ内にガス絶縁開閉装置１００を構成することができる。併せて、第１の回路配線モジュール５０の各相の第１回路配線５１Ａ、５１Ｂ、５１Ｃは、それぞれガス絶縁母線で構成され、第２の方向に沿って互いに平行に延び、また、各相の第１回路配線５１Ａ、５１Ｂ、５１Ｃは、直角二等辺三角形の各頂点に位置し、Ａ相とＢ相の各相の第１回路配線５１Ａ、５１Ｂは、前記直角二等辺三角形の短辺の両端に位置して、第１の垂直平面ＶＳ１と第２の垂直平面ＶＳ２の間でそれらに平行な第３の垂直平面ＶＳ３上に配置され、Ｃ相の第１回路配線５１Ｃは、第１垂直平面ＶＳ１と第３の垂直平面ＶＳ３の間でそれらに平行な第４の垂直平面ＶＳ４上に配置されるので、第１の回路配線モジュール５０の垂直方向の寸法も小さくすることができ、ガス絶縁開閉装置１００の垂直方向の寸法も小さくすることができる。【００３９】
また、実施の形態１のガス絶縁開閉装置１００では、特に第３の垂直平面ＶＳ３が、各相のガス遮断器の基準軸線長さの中間点Ｐを通るように設定することにより、Ａ相とＢ相の各相の第１回路配線５１Ａ、５１Ｂを、第１、第２の垂直平面ＶＳ１、ＶＳ２の中間に配置することができ、第１の回路配線モジュール５０を確実に、垂直平面ＶＳ１、ＶＳ２の間の回路配線スペースＣＳ内に配置することができる。【００４０】
また、実施の形態１のガス絶縁開閉装置１００では、各相のガス遮断器１１Ａ、１１Ｂ、１１Ｃは、一対の遮断用開閉スイッチ１１ａ、１１ｂを含み、これらの各遮断用開閉スイッチ１１ａ、１１ｂが、前記各相のガス遮断器１１Ａ、１１Ｂ、１１Ｃの軸線１２ａ、１２ｂ、１２ｃに沿って配置されるので、各相のガス遮断器１１Ａ、１１Ｂ、１１Ｃの基準軸線長さＬＳに所定長さを確保し、第１の回路配線モジュール５０を確実に、垂直平面ＶＳ１、ＶＳ２の間の回路配線スペースＣＳ内に配置することができる。【００４１】
また、実施の形態１のガス絶縁開閉装置１００では、さらに第１の回路配線モジュール５０の上部に配置された第３の回路配線モジュール７０を備え、この第３の回路配線モジュール７０は、Ａ相、Ｂ相、Ｃ相の各相の第３回路配線７１Ａ、７１Ｂ、７１Ｃを含み、これらの各相の第３回路配線７１Ａ、７１Ｂ、７１Ｃもガス絶縁母線で構成され、それぞれ各相の第１垂直管２１Ａ、２１Ｂ、２１Ｃを通じて各相のガス遮断器１１A、１１Ｂ、１１Ｃに接続され、また、各相の第３回路配線７１Ａ、７１Ｂ、７１Ｃは、第２方向に沿って互いにほぼ平行に延び、また、各相の第３回路配線７１Ａ、７１Ｂ、７１Ｃは、直角二等辺三角形の各頂点に位置し、Ａ相とＢ相の各相の第３回路配線７１Ａ、７１Ｂは、直角二等辺三角形の短辺の両端に位置して、第３の垂直平面ＶＳ３上に配置され、Ｃ相の第３回路配線７１Ｃは、第４の垂直平面ＶＳ４上に配置されるので、第１の回路配線モジュール５０ともに複母線構造を構成する第３の回路配線モジュール７０の垂直方向の寸法も小さくすることができ、ガス絶縁開閉装置１００の垂直方向の寸法も小さくすることができる。【００４２】
また、実施の形態１のガス絶縁開閉装置１００では、各相の第１垂直管２１Ａ、２１Ｂ、２１Ｃに、Ａ相、Ｂ相、Ｃ相の各相の第１の計器用変流器ＣＴがそれぞれ配置され、また、前記各相の第２垂直管３１Ａ、３１Ｂ、３１Ｃに、Ａ相、Ｂ相、Ｃ相の各相の第２の計器用変流器ＣＴがそれぞれ配置されるので、各相の計器用変流器ＣＴを、第１垂直管２１Ａ、２１Ｂ、２１Ｃおよび第２垂直管３１Ａ、３１Ｂ、３１Ｃを利用して、コンパクトに配置することができる。【００４３】
また、実施の形態１のガス絶縁開閉装置１００では、さらに、各相の第１垂直管２１Ａ、２１Ｂ、２１Ｃの上端部に水平に連結されたＡ相、Ｂ相、Ｃ相の各相の水平管２２Ａ、２２Ｂ、２２Ｃを備え、各相の第１回路配線５１Ａ、５１Ｂ、５１Ｃが、それぞれ各相の水平管２２Ａ、２２Ｂ、２２Ｃと、各相の第１垂直管２１Ａ、２１Ｂ、２１Ｃを通じて各相のガス遮断器１１Ａ、１１Ｂ、１１Ｃに接続されるので、垂直平面ＶＳ１、ＶＳ２の間に配置された各相の第１の回路配線５１Ａ、５１Ｂ、５１Ｃを、配置スペース幅ＷＳからはみ出すことなく、コンパクトに各相のガス遮断器１１Ａ、１１Ｂ、１１Ｃに接続することができる。【００４４】
また、実施の形態１のガス絶縁開閉装置１００では、各相の水平管２２Ａ、２２Ｂ、２２Ｃに、Ａ相、Ｂ相、Ｃ相の各相の断路器ＤＳがそれぞれ配置されるので、各相の水平管２２Ａ、２２Ｂ、２２Ｃを利用して、各相の断路器ＤＳをコンパクトに配置することができる。【００４５】
さらに、実施の形態１のガス絶縁開閉装置１００では、各相の第１垂直管２１Ａ、２１Ｂ、２１Ｃが互いにほぼ同じ垂直長さＬＶ１を有し、また各相の第２垂直管３１Ａ、３１Ｂ、３１Ｃが互いにほぼ同じ垂直長さＬＶ２を有し、しかも各相の第１垂直管２１Ａ、２１Ｂ、２１Ｃの垂直長さＬＶ１と、各相の第２垂直管３１Ａ、３１Ｂ、３１Ｃの垂直長さＬＶ２とが互いにほぼ等しくされるので、各垂直管２１Ａ、２１Ｂ、２１Ｃおよび垂直管３１Ａ、３１Ｂ、３１Ｃを、互いに同じ部品で安価に構成することができる。【００４６】
実施の形態２．
実施の形態２のガス絶縁開閉装置２００は、母線区分ユニットと呼ばれるガス絶縁開閉装置である。この実施の形態２のガス絶縁開閉装置２００は、互いに隣接して配置された２つのガス絶縁開閉ユニット３００、４００を含む。第１のガス絶縁開閉ユニット３００は、第１の遮断器モジュール３１０と、第１の回路配線モジュール３５０と、第２の回路配線モジュール３６０を含み、第１の回路配線モジュール３５０と第２の回路配線モジュール３６０との間の電気接続を、第１の遮断器モジュール３１０により開閉する。第２のガス絶縁開閉ユニット４００は、第２の遮断器モジュール４１０と、第３の回路配線モジュール４５０と、第４の回路配線モジュール４６０を含み、第３の回路配線モジュール４５０と第４の回路配線モジュール４６０との間の電気接続を、第２の遮断器モジュール４１０により開閉する。第１の回路配線モジュール３５０の上部に第３の回路配線モジュール４５０が配置される。第２の回路配線モジュール３６０は、第１の回路配線モジュール３５０と関連して、小さい配置スペースに配置され、また第４の回路配線モジュール４６０は、第３の回路配線モジュール４５０と関連して、小さい配置スペースに配置される。【００４７】
図５、図６、図７Ａ、図７Ｂ、図７Ｃ、図８は、第１のガス絶縁開閉ユニット３００を示し、図５はその左側面図、図６はその平面図、図７Ａは、そのＡ相の垂直配置面ＶＳＡ１に対応する正面図、図７Ｂは、そのＢ相の垂直配置面ＶＳＢ１に対応する正面図、図７Ｃは、そのＣ相の垂直配置面ＶＳＣ１に対応する正面図、図８は、図７Ａ、７Ｂ、７ＣにおけるＹ−Ｙ線による断面図である。【００４８】
まず、第１のガス絶縁開閉ユニット３００について、図５、図６、図７Ａ、図７Ｂ、図７Ｃ、および図８を参照して説明する。この第１のガス絶縁開閉ユニット３００は、実施の形態１のガス絶縁開閉装置１００と基本的に同じ発想で構成される。第１、第２の回路配線モジュール３５０、３６０は、母線区分ユニットを構成するために、実施の形態１の第１、第２の回路配線モジュール５０、６０から変形される。【００４９】
第１の遮断器モジュール３１０は、実施の形態１の遮断器モジュール１０と同じに構成される。この第１の遮断器モジュール３１０は、Ａ相のガス遮断器３１１Ａと、Ｂ相のガス遮断器３１１Ｂと、Ｃ相のガス遮断器３１１Ｃと、共通の架台３１３を含む。架台３１３は、図５、図７Ａ、図７Ｂ、図７Ｃに示すように、据付面１４上に固定される。各相のガス遮断器３１１Ａ、３１１Ｂ、３１１Ｃは、架台３１３上に固定される。各相のガス遮断器３１１Ａ、３１１Ｂ、３１１Ｃは円筒状に構成され、図５、図８に示すように、それぞれ軸線３１２ａ、３１２ｂ、３１２ｃを有する。各相のガス遮断器３１１Ａ、３１１Ｂ、３１１Ｃは、水平配置平面ＨＳ０上に配置され、それぞれ架台３１３に取り付けられる。【００５０】
実施の形態２のガス絶縁開閉装置２００の構成を説明するために、ｘ軸とｙ軸とｚ軸を含む３軸直交座標を想定し、水平配置平面ＨＳ０がこの３軸直交座標のｘ、ｙ平面に存在するものとする。第１のガス絶縁開閉ユニット３００における第１の遮断器モジュール３１０の各相のガス遮断器３１１Ａ、３１１Ｂ、３１１Ｃは、図５、図８に示すように、それぞれの軸線３１２ａ、３１２ｂ、３１２ｃが、ｘｙ平面上に位置し、しかもそれぞれの軸線３１２ａ、３１２ｂ、３１２ｃが、第１の方向に沿って、互いにほぼ平行に延びるように、配置される。ここで、第１の方向は、３軸直交座標のｘ軸の方向である。【００５１】
第１のガス絶縁開閉ユニット３００に関連して、図５、図６、図８に示すように、Ａ相の垂直配置面ＶＳＡ１と、Ｂ相の垂直配置面ＶＳＢ１と、Ｃ相の垂直配置面ＶＳＣ１を設定する。Ａ相の垂直配置面ＶＳＡ１は、水平配置平面ＨＳ０と垂直であって、Ａ相のガス遮断器３１１Ａの軸線３１２ａを含む垂直平面である。Ｂ相の垂直配置面ＶＳＢ１は、水平配置平面ＨＳ０と垂直であって、Ｂ相のガス遮断器３１１Ｂの軸線３１２ｂを含む垂直平面である。Ｃ相の垂直配置面ＶＳＣ１は、水平配置平面ＨＳ０と垂直であって、Ｃ相のガス遮断器３１１Ｃの軸線３１２ｃを含む垂直平面である。これらのＡ相、Ｂ相、Ｃ相の垂直配置面ＶＳＡ１、ＶＳＢ１、ＶＳＣ１は、３軸直交座標のｘ、ｚ平面に平行であり、互いに平行な平面である。図５、図６に示す垂直配置面ＶＳＡ１、ＶＳＢ１の相間間隔ｍと、垂直配置面ＶＳＢ１、ＶＳＣ１の相間間隔ｍは、互いに等しい。【００５２】
第１の遮断器モジュール３１０の各相のガス遮断器３１１Ａ、３１１Ｂ、３１１Ｃの左端部上に、Ａ相、Ｂ相、Ｃ相の各相の第１垂直管３２１Ａ、３２１Ｂ、３２１Ｃが、垂直に結合される。同様に、各相のガス遮断器３１１Ａ、３１１Ｂ、３１１Ｃの右端部上に、Ａ相、Ｂ相、Ｃ相の第２垂直管３３１Ａ、３３１Ｂ、３３１Ｃが、垂直に結合される。第１の遮断器モジュール３１０に関連して、第１、第２の垂直平面ＶＳ１、ＶＳ２を設定する。第１の垂直平面ＶＳ１は、水平配置平面ＨＳ０と垂直であって、各相のガス遮断器３１１Ａ、３１１Ｂ、３１１Ｃの左端部に交差する垂直平面である。第２の垂直平面ＶＳ２は、水平配置平面ＨＳ０と垂直であって、各相のガス遮断器３１１Ａ、３１１Ｂ、３１１Ｃの右端部に交差する垂直平面である。第１、第２垂直平面ＶＳ１、ＶＳ２は、ｙｚ平面と平行であり、互いに平行な平面であって、Ａ相、Ｂ相、Ｃ相の垂直配置面ＶＳＡ１、ＶＳＢ１、ＶＳＣ１にそれぞれ直交する。第１、第２の垂直平面ＶＳ１、ＶＳ２の間には、第１の遮断器モジュール３１０の上部に回路配線スペースＣＳが形成される。この回路配線スペースＣＳは、水平方向の幅Ｗ０が、第１、第２の垂直平面ＶＳ１、ＶＳ２と間隔に等しく、Ａ相、Ｂ相、Ｃ相の垂直配置面ＶＳＡ１、ＶＳＢ１、ＶＳＣ１を横切り、第１、第２の垂直平面ＶＳ１、ＶＳ２の間を延びている。【００５３】
第１垂直管３２１Ａ、３２１Ｂ、３２１Ｃは、それぞれの軸線が、第１の垂直平面ＶＳ１上に位置するようにして、各相のガス遮断器３１１Ａ、３１１Ｂ、３１１Ｃの左端部上に垂直に結合される。具体的には、Ａ相の第１垂直管３２１Ａは、図６に示すように、その軸線が、第１の垂直平面ＶＳ１とＡ相の垂直配置面ＶＳＡ１との交差線上に位置するようにして、Ａ相のガス遮断器３１１Ａの左端部上に結合される。Ｂ相の第１垂直管３２１Ｂは、図６に示すように、その軸線が、第１の垂直平面ＶＳ１とＢ相の垂直配置面ＶＳＢ１との交差線上に位置するようにして、Ｂ相のガス遮断器３１１Ｂの左端部上に結合される。同様に、Ｃ相の第１垂直管３２１Ｃは、図６に示すように、その軸線が、第１の垂直平面ＶＳ１とＣ相の垂直配置面ＶＳＣ１との交差線上に位置するようにして、Ｃ相のガス遮断器３１１Ｃの左端部上に結合される。【００５４】
第２垂直管３３１Ａ、３３１Ｂ、３３１Ｃは、それぞれの軸線が、第２の垂直平面ＶＳ２上に位置するようにして、各相のガス遮断器３１１Ａ、３１１Ｂ、３１１Ｃの右端部上に垂直に結合される。具体的には、Ａ相の第２垂直管３３１Ａは、図６に示すように、その軸線が、第２の垂直平面ＶＳ２とＡ相の垂直配置面ＶＳＡ１との交差線上に位置するようにして、Ａ相のガス遮断器３１１Ａの右端部上に結合される。Ｂ相の第２垂直管３３１Ｂは、図６に示すように、その軸線が、第２の垂直平面ＶＳ２とＢ相の垂直配置面ＶＳＢ１との交差線上に位置するようにして、Ｂ相のガス遮断器３１１Ａの右端部上に結合される。同様に、Ｃ相の第２垂直管３３１Ｃは、図６に示すように、その軸線が、第２の垂直平面ＶＳ２とＣ相の垂直配置面ＶＳＣ１との交差線上に位置するようにして、Ｃ相のガス遮断器３１１Ａの右端部上に結合される。【００５５】
各相の第１垂直管３２１Ａ、３２１Ｂ、３２１Ｃは、互いに等しい垂直長さＬＶ１を有し、また各相の第２垂直管３３１Ａ、３３１Ｂ、３３１Ｃは、互いに等しい垂直長さＬＶ２を有する。垂直長さＬＶ１と垂直長さＬＶ２は、互いに等しい長さとされ、ＬＶ１＝ＬＶ２である。【００５６】
各相のガス遮断器３１１Ａ、３１１Ｂ、３１１Ｃは、第１、第２の垂直平面ＶＳ１、ＶＳ２の間に、それぞれ基準軸線長さＬＳを有する。各相のガス遮断器３１１Ａ、３１１Ｂ、３１１Ｃの基準軸線長さＬＳは、互いに同じ長さとされる。また、各相のガス遮断器３１１Ａ、３１１Ｂ、３１１Ｃは、それぞれの基準軸線長さＬＳの中間点をＰとして、各相のガス遮断器３１１Ａ、３１１Ｂ、３１１Ｃのそれぞれの軸線長さＬＳの中間点Ｐが、ｙ軸と平行な第２の方向に整列するようにして、配置される。ここで、第２の方向は、３軸直交座標のｙ軸と平行な方向である。結果として、各相のガス遮断器３１１Ａ、３１１Ｂ、３１１Ｃの両端面で規制される配置スペース幅ＷＳは、各相のガス遮断器３１１Ａ、３１１Ｂ、３１１Ｃの基準軸線長さＬＳに、各相のガス遮断器３１１Ａ、３１１Ｂ、３１１Ｃの両端部の端部長さを加えた長さとなり、各相のガス遮断器３１１Ａ、３１１Ｂ、３１１Ｃは、この配置スペース幅ＷＳの中に、コンパクトに配置される。【００５７】
各相のガス遮断器３１１Ａ、３１１Ｂ、３１１Ｃは、２点切りと呼ばれるガス遮断器で構成され、図７Ａ、図７Ｂ、図７Ｃに示すように、それぞれ内部に、２つの遮断用開閉スイッチ１１ａ、１１ｂを含む。これらの遮断用開閉スイッチ１１ａ、１１ｂは、各相のガス遮断器３１１Ａ、３１１Ｂ、３１１Ｃの内部に、それぞれ軸線３１２ａ、３１２ｂ、３１２ｃに沿って配置され、互いに直列に接続される。各相のガス遮断器３１１Ａ、３１１Ｂ、３１１Ｃの下部には、図５、図７Ａ、図７Ｂ、図７Ｃに示すように、スイッチ駆動機構３１５Ａ、３１５Ｂ、３１５Ｃが取り付けられる。スイッチ駆動機構３１５Ａ、３１５Ｂ、３１５Ｃは、それぞれ各相のガス遮断器３１１Ａ、３１１Ｂ、３１１Ｃの各遮断用開閉スイッチ１１ａ、１１ｂを同時に開閉するように駆動する。各相のガス遮断器３１１Ａ、３１１Ｂ、３１１Ｃがそれぞれ、軸線３１２ａ、３１２ｂ、３１２ｃに沿って配置された２つの直列接続された遮断用開閉スイッチ１１ａ、１１ｂを含むので、それぞれの基準軸線長さＬＳは、比較的大きな寸法となり、回路配線スペースＣＳも比較的大きな寸法となる。【００５８】
各相の第１垂直管３２１Ａ、３２１Ｂ、３２１Ｃの上端には、図５、図７Ａ、図７Ｂ、図７Ｃ、図８に示すように、それぞれＡ相、Ｂ相、Ｃ相の各相の第１水平管３２２Ａ、３２２Ｂ、３２２Ｃが連結される。この各相の第１水平管３２２Ａ、３２２Ｂ、３２２Ｃは、それぞれ水平配置平面ＨＳ０と平行な第１の水平平面ＨＳ１上に、第１の方向（ｘ軸の方向）に沿って、回路配線スペースＣＳに向かって水平に延長される。具体的には、Ａ相の第１水平管３２２Ａは、図８に示すように、第１の水平平面ＨＳ１とＡ相の垂直配置面ＶＳＡ１との交差線上に配置され、Ｂ相の第１水平管３２２Ｂは、第１水平平面ＨＳ１とＢ相の垂直配置面ＶＳＢ１との交差線上に配置され、またＣ相の第１水平管３２２Ｃは、第１水平平面ＨＳ１とＣ相の垂直配置面ＶＳＣ１との交差線上に配置される。【００５９】
各相の第２垂直管３３１Ａ、３３１Ｂ、３３１Ｃの上端には、図７Ａ、図７Ｂ、図７Ｃに示すように、それぞれＡ相、Ｂ相、Ｃ相の第３垂直管３３２Ａ、３３２Ｂ、３３２Ｃが、垂直に連結される。第３垂直管３３２Ａ、３３２Ｂ、３３２Ｃは、それぞれの軸線が、第２の垂直平面ＶＳ２上に位置するようにして、各相の第２垂直管３３１Ａ、３３１Ｂ、３３１Ｃの上端に垂直に連結される。具体的には、Ａ相の第３垂直管３３２Ａは、図７Ａに示すように、その軸線が、第２の垂直平面ＶＳ２とＡ相の垂直配置面ＶＳＡ１との交差線上に位置するようにして、Ａ相の第２垂直管３３１Ａ上に結合される。Ｂ相の第３垂直管３３２Ｂは、図７Ｂに示すように、その軸線が、第２の垂直平面ＶＳ２とＢ相の垂直配置面ＶＳＢ１との交差線上に位置するようにして、Ｂ相の第２垂直管３３１Ｂ上に結合される。同様に、Ｃ相の第３垂直管３３２Ｃは、図７Ｃに示すように、その軸線が、第２の垂直平面ＶＳ２とＣ相の垂直配置面ＶＳＣ１との交差線上に位置するようにして、Ｃ相の第２垂直管３３１Ｃ上に結合される。【００６０】
各相の第３垂直管３３２Ａ、３３２Ｂ、３３２Ｃの上端には、図７Ａ、図７Ｂ、図７Ｃに示すように、それぞれＡ相、Ｂ相、Ｃ相の第２水平管３３３Ａ、３３３Ｂ、３３３Ｃが連結される。この各相の第２水平管３３３Ａ、３３３Ｂ、３３３Ｃは、それぞれ第１の水平平面ＨＳ１の上部に第１の水平平面ＨＳ１と平行に位置する第３の水平平面ＨＳ３上に、第１の方向（ｘ軸の方向）に沿って、回路配線スペースＣＳに向かって水平に延長される。具体的には、Ａ相の第２水平管３３３Ａは、第３の水平平面ＨＳ３とＡ相の垂直配置面ＶＳＡ１との交差線上に配置され、Ｂ相の第２水平管３３３Ｂは、第３の水平平面ＨＳ３とＢ相の垂直配置面ＶＳＢ１との交差線上に配置され、またＣ相の第２水平管３３３Ｃは、第３の水平平面ＨＳ３とＣ相の垂直配置面ＶＳＣ１との交差線上に配置される。第１の水平平面ＨＳ１と第３の水平平面ＨＳ３との垂直方向の間隔はαである。【００６１】
第１の回路配線モジュール３５０は、Ａ相、Ｂ相、Ｃ相の各相の第１回路配線３５１Ａ、３５１Ｂ、３５１Ｃを含み、これらの各相の第１回路配線３５１Ａ、３５１Ｂ、３５１Ｃは、それぞれガス絶縁母線で構成される。また、第２の回路配線モジュール３６０は、Ａ相、Ｂ相、Ｃ相の各相の第２回路配線３６１Ａ、３６１Ｂ、３６１Ｃを含み、これらの各相の第２回路配線も、それぞれガス絶縁母線で構成される。【００６２】
第１のガス絶縁開閉ユニット３００では、第１の回路配線モジュール３５０の各相の第１回路配線３５１Ａ、３５１Ｂ、３５１Ｃと、第２の回路配線モジュール３６０の各相の第２回路配線３６１Ａ、３６１Ｂ、３６１Ｃとが、回路配線ラインＬ１、Ｌ２、Ｌ３、Ｌ４を一部で共用しながら、水平配置平面ＨＳ０の上部の回路配線スペースＣＳにコンパクトに配置される。回路配線ラインＬ１、Ｌ２、Ｌ３、Ｌ４は、回路配線スペースＣＳ内に、第２の方向（ｙ軸の方向）に沿って、Ａ相、Ｂ相、Ｃ相の各垂直配置面ＶＳＡ、ＶＳＢ、ＶＳＣと直交する直線であり、互いに平行に延びるように設定される。【００６３】
回路配線ラインＬ１、Ｌ２、Ｌ３、Ｌ４に関連して、図６、図７Ａ，図７Ｂ、図７Ｃに示すように、第１の垂直平面ＶＳ１と第２の垂直平面ＶＳ２との間に、それらに平行な第３の垂直平面ＶＳ３を設定する。この第３の垂直平面ＶＳ３は、具体的には、第１の垂直平面ＶＳ１と第２の垂直平面ＶＳ２とのちょうど中間に位置し、各相のガス遮断器３１１Ａ、３１１Ｂ、３１１Ｃの各基準軸線長さＬＳの中間点Ｐを通る垂直平面である。第３の垂直平面ＶＳ３と第１の垂直平面ＶＳ１との水平方向の間隔は２αであり、また、第３の垂直平面ＶＳ３と第２の垂直平面ＶＳ２との水平方向の間隔も２αである。また、第１の垂直平面ＶＳ１と第３の垂直平面ＶＳ３との間に、それらに平行な第４の垂直平面ＶＳ４を設定する。この第４の垂直平面ＶＳ４は、第１の垂直平面ＶＳ１と第３の垂直平面ＶＳ３とのちょうど中間に位置する。第４の垂直平面ＶＳ４と第１の垂直平面ＶＳ１との水平方向の間隔はαであり、第４の垂直平面ＶＳ４と第３の垂直平面ＶＳ３との間隔もαである。【００６４】
回路配線ラインＬ１、Ｌ２、Ｌ４は、第３の垂直平面ＶＳ３上に互いに平行に位置する。回路配線ラインＬ１は、第１の水平平面ＨＳ１と第３の垂直平面ＶＳ３との交差線上に位置する。回路配線ラインＬ４は、第３の水平平面ＨＳ３と第３の垂直平面ＶＳ３との交差線上に位置する。第３の垂直平面ＶＳ３上では、回路配線ラインＬ１が、回路配線ラインＬ２、Ｌ４の中間に位置し、回路配線ラインＬ２が回路配線ラインＬ１の真下に、また、回路配線ラインＬ４が回路配線ラインＬ２の真上に位置する。回路配線ラインＬ１、Ｌ２の垂直方向の間隔はαであり、また回路配線ラインＬ１、Ｌ４の垂直方向の間隔もαである。回路配線ラインＬ３は、第４の垂直平面ＶＳ４上に位置するように配置される。【００６５】
回路配線ラインＬ１、Ｌ２、Ｌ３は、それぞれ直角二等辺三角形の各頂点に配置される。回路配線ラインＬ１と、回路配線ラインＬ３との間が、直角二等辺三角形の斜辺、すなわち長辺である。回路配線ラインＬ１、Ｌ２は、前記直角二等辺三角形の第１の短辺の両端に配置される。また、回路配線ラインＬ２、Ｌ３は、前記直角二等辺三角形の第２の短辺の両端に配置される。回路配線ラインＬ２、Ｌ３の水平方向の間隔もαである。【００６６】
第１の回路配線モジュール３５０のＡ相の第１回路配線３５１Ａは、図７Ａ、図８に示すように回路配線ラインＬ１上に位置し、Ａ相のガス遮断器３１１Ａの上に延在するが、Ｂ相、Ｃ相のガス遮断器３１１Ｂ、３１１Ｃの上には延びていない。第１の回路配線モジュール３５０のＢ相の第１回路配線３５１Ｂは、図７Ａ、図７Ｂ、図８に示すように、回路配線ラインＬ２上に位置し、Ａ相、Ｂ相のガス遮断器３１１Ａ、３１１Ｂの上に延在するが、Ｃ相のガス遮断器３１１Ｃの上には延びていない。第１の回路配線モジュール３５０のＣ相の第１回路配線３５１Ｃは、図７Ａ、図７Ｂ、図７Ｃ、図８に示すように回路配線ラインＬ３上に位置し、Ａ相、Ｂ相、Ｃ相のガス遮断器３１１Ａ、３１１Ｂ、３１１Ｃの上部に延在している。【００６７】
第２の回路配線モジュール３６０のＡ相の第２回路配線３６１Ａは、図７Ａ、図７Ｂ、図７Ｃ、図８に示すように、回路配線ラインＬ４上に位置し、Ａ相、Ｂ相、Ｃ相のガス遮断器３１１Ａ、３１１Ｂ、３１１Ｃの上部に延在している。第２の回路配線モジュール３６０のＢ相の第２回路配線３６１Ｂは、図７Ｂ、図７Ｃ、図８に示すように、回路配線ラインＬ１上に、Ａ相の第１回路配線３５１Ａと同軸に位置し、Ｂ相、Ｃ相のガス遮断器３１１Ｂ、３１１Ｃの上部に延在するが、Ａ相の第１回路配線３５１Ａが延在するガス遮断器３１１Ａの上部には、延在しない。また、第２の回路配線モジュール３６０のＣ相の第２回路配線３６１Ｃは、図７Ｃ、図８に示すように、回路配線ラインＬ２上に、Ｂ相の第１回路配線３５１Ｂと同軸に位置し、Ｃ相のガス遮断器３１１Ｃの上部に延在するが、Ｂ相の第１回路配線３５１Ｂが延在するＡ相、Ｂ相のガス遮断器３１１Ａ、３１１Ｂの上部には延在しない。【００６８】
第１の回路配線モジュール３５０のＡ相の第１回路配線３５１Ａは、図７Ａに示すように、Ａ相の第１回路配線３５１Ａと第１水平管３２２Ａとを接続する接続管３５２Ａと、Ａ相の第１水平管３２２Ａと、第１垂直管３２１Ａを通じてＡ相のガス遮断器３１１Ａの左端部に接続される。また、第２の回路配線モジュール３６０のＡ相の第２回路配線３６１Ａは、Ａ相の第２回路配線３６１Ａと第２水平管３３３Ａとを接続する接続管３６２Ａと、Ａ相の第２水平管３３３Ａと、第３垂直管３３２Ａと、第２垂直管３３１Ａを通じて、Ａ相のガス遮断器３１１Ａの右端部に接続される。これらのＡ相の第１回路配線３５１Ａと第２回路配線３６１Ａとの間の電気接続は、Ａ相のガス遮断器３１１Ａにより開閉される。接続管３５２Ａ、３６２Ａは、ガス絶縁接続管で構成される。【００６９】
第１の回路配線モジュール３５０のＢ相の第１回路配線３５１Ｂは、図７Ｂに示すように、Ｂ相の第１回路配線３５１Ｂと第１水平管３２２Ｂとを接続する接続管３５２Ｂと、Ｂ相の第１水平管３２２Ｂと、第１垂直管３２１Ｂとを通じてＢ相のガス遮断器３１１Ｂの左端部に接続される。また、第２の回路配線モジュール３６０のＢ相の第２回路配線３６１Ｂは、Ｂ相の第２回路配線３６１Ｂと第２水平管３３３Ｂとを接続する接続管３６２Ｂ、３６３Ｂと、Ｂ相の第２水平管３３３Ｂと、第３垂直管３３２Ｂと、第２垂直管３３１Ｂを通じて、Ｂ相のガス遮断器３１１Ｂの右端部に接続される。これらのＢ相の第１回路配線３５１Ｂと第２回路配線３６１Ｂとの間の電気接続は、Ｂ相のガス遮断器３１１Ｂにより開閉される。接続管３５２Ｂ、３６２Ｂ、３６３Ｂも、ガス絶縁接続管で構成される。【００７０】
第１の回路配線モジュール３５０のＣ相の第１回路配線３５１Ｃは、図７Ｃに示すように、Ｃ相の第１回路配線３５１Ｃと第１水平管３２２Ｃとを接続する接続管３５２Ｃと、Ｃ相の第１水平管３２２Ｃと、第１垂直管３２１Ｃとを通じてＣ相のガス遮断器３１１Ｃの左端部に接続される。また、第２の回路配線モジュール３６０のＣ相の第２回路配線３６１Ｃは、Ｃ相の第２回路配線３６１Ｃと第２水平管３３３Ｃとを接続する接続管３６２Ｃ、３６３Ｃ、３６４Ｃと、Ｃ相の第２水平管３３３Ｃと、第３垂直管３３２Ｃと、第２垂直管３３１Ｃを通じて、Ｃ相のガス遮断器３１１Ｂの右端部に接続される。これらのＣ相の第１回路配線３５１Ｃと第２回路配線３６１Ｃとの間の電気接続は、Ｃ相のガス遮断器３１１Ｃにより開閉される。接続管３５２Ｃ、３６２Ｃ、３６３Ｃ、３６４Ｃも、ガス絶縁接続管で構成される。【００７１】
各相の第１水平管３２２Ａ、３２２Ｂ、３２２Ｃは、第１の回路配線モジュール３５０の各相の第１回路配線３５１Ａ、３５１Ｂ、３５１Ｃのそれぞれに対応する断路器ＤＳを内蔵する。また、各相の第１垂直管３２１Ａ、３２１Ｂ、３２１Ｃは、第１の回路配線モジュール３５０の各相の第１配線３５１Ａ、３５１Ｂ、３５１Ｃのそれぞれに対応する計器用変流器ＣＴを内蔵する。【００７２】
各相の第２水平管３３３Ａ、３３３Ｂ、３３３Ｃは、第２の回路配線モジュール３６０の各相の第２回路配線３６１Ａ、３６１Ｂ、３６１Ｃのそれぞれに対応する断路器ＤＳを内蔵し、また各相の第２垂直管３３１Ａ、３３１Ｂ、３３１Ｃは、第２の回路配線モジュール３６０の各相の第２回路配線３６１Ａ、３６１Ｂ、３６１Ｃのそれぞれに対応する計器用変流器ＣＴを内蔵する。【００７３】
実施の形態２の第１のガス絶縁開閉ユニット３００では、Ａ相のガス遮断器３１１Ａは、第１の回路配線モジュール３５０のＡ相の第１回路配線３５１Ａと、第２の回路配線モジュール３６０のＡ相の第２回路配線３６１Ａとの間の電気接続を開閉する。Ｂ相のガス遮断器３１１Ｂは、第１の回路配線モジュール３５０のＢ相の第１回路配線３５１Ｂと、第２の回路配線モジュール３６０のＢ相の第２回路配線３６１Ｂとの間の電気接続を開閉する。同様に、Ｃ相のガス遮断器３１１Ｃは、第１の回路配線モジュール３５０のＣ相の第１回路配線３５１Ｃと、第２の回路配線モジュール３６０のＣ相の第２回路配線３６１Ｃとの間の電気接続を開閉する。【００７４】
次に実施の形態２における第２のガス絶縁開閉ユニット４００について、図９、図１０、図１１Ａ、図１１Ｂ、図１１Ｃ、図１２を参照して説明する。図９、図１０、図１１Ａ、図１１Ｂ、図１１Ｃ、図１２は、第２のガス絶縁開閉ユニット４００を示し、図９はその左側面図、図１０はその平面図、図１１Ａは、そのＡ相の垂直配置面ＶＳＡ２に対応する正面図、図１１Ｂは、そのＢ相の垂直配置面ＶＳＢ２に対応する正面図、図１１Ｃは、そのＣ相の垂直配置面ＶＳＣ２に対応する正面図、図１２は、図１１Ａ、図１１Ｂ、図１１ＣにおけるＸ−Ｘ線による断面図である。【００７５】
この第２のガス絶縁開閉ユニット４００は、第２の遮断器モジュール４１０と、第３の回路配線モジュール４５０と、第４の回路配線モジュール４６０を含む。第２のガス絶縁開閉ユニット４００も、第１のガス絶縁開閉ユニット３００と同様に、実施の形態１のガス絶縁開閉装置１００と基本的に同じ発想で構成される。第３、第４の回路配線モジュール４５０、４６０は、母線区分ユニットを構成するために、実施の形態１の第１、第２の回路配線モジュール５０、６０から変形される。【００７６】
第２のガス絶縁開閉ユニット４００の第２の遮断器モジュール４１０は、実施の形態１の遮断器モジュール１０と同様に構成される。この遮断器モジュール４１０は、Ａ相のガス遮断器４１１Ａと、Ｂ相のガス遮断器４１１Ｂと、Ｃ相のガス遮断器４１１Ｃと、共通の架台４１３を含む。架台４１３は、図９、図１１Ａ、図１１Ｂ、図１１Ｃに示すように、据付面１４上に固定される。据付面１４は、第１のガス絶縁開閉ユニット３００の据付面１４と同じである。架台４１３は、第１のガス絶縁開閉ユニット３００における架台３１３を延長して共用することもできる。各相のガス遮断器４１１Ａ、４１１Ｂ、４１１Ｃは、架台４１３上に固定される。各相のガス遮断器４１１Ａ、４１１Ｂ、４１１Ｃは円筒状に構成され、図９、図１２に示すように、それぞれ軸線４１２ａ、４１２ｂ、４１２ｃを有する。各相のガス遮断器４１１Ａ、４１１Ｂ、４１１Ｃは、水平配置平面ＨＳ０上に配置され、それぞれ架台４１３に取り付けられる。水平配置平面ＨＳ０は、第１のガス絶縁開閉ユニット３００における水平配置平面ＨＳ０と同じ平面である。【００７７】
実施の形態２のガス絶縁開閉装置２００の構成を説明するために想定した３軸直交座標のｘ、ｙ平面に、水平配置平面ＨＳ０が存在するものとする。第２のガス絶縁開閉ユニット４００における第２の遮断器モジュール４１０の各相のガス遮断器４１１Ａ、４１１Ｂ、４１１Ｃは、図９、図１２に示すように、それぞれの軸線４１２ａ、４１２ｂ、４１２ｃが、水平配置平面ＨＳ０とともにｘｙ平面上に位置し、しかもそれぞれの軸線４１２ａ、４１２ｂ、４１２ｃが、第１の方向に沿って、互いにほぼ平行に延びるように、配置される。ここで、第１の方向は、前記３軸直交座標のｘ軸の方向である。【００７８】
第２のガス絶縁開閉ユニット４００に関連して、図９、図１０、図１２に示すように、Ａ相の垂直配置面ＶＳＡ２と、Ｂ相の垂直配置面ＶＳＢ２と、Ｃ相の垂直配置面ＶＳＣ２を設定する。Ａ相の垂直配置面ＶＳＡ２は、水平配置平面ＨＳ０と垂直であって、Ａ相のガス遮断器４１１Ａの軸線４１２ａを含む垂直平面である。Ｂ相の垂直配置面ＶＳＢ２は、水平配置平面ＨＳ０と垂直であって、Ｂ相のガス遮断器４１１Ｂの軸線４１２ｂを含む垂直平面である。Ｃ相の垂直配置面ＶＳＣ２は、水平配置平面ＨＳ０と垂直であって、Ｃ相のガス遮断器４１１Ｃの軸線４１２ｃを含む垂直平面である。これらのＡ相、Ｂ相、Ｃ相の垂直配置面ＶＳＡ２、ＶＳＢ２、ＶＳＣ２は、３軸直交座標のｘ、ｚ平面に平行であり、それぞれ第１のガス絶縁開閉ユニット３００の各相の垂直配置面ＶＳＡ１、ＶＳＢ１、ＶＳＣ１と同じ平面として構成された垂直平面である。図９、図１０に示す垂直配置面ＶＳＡ２、ＶＳＢ２の相間間隔ｍと、垂直配置面ＶＳＢ２、ＶＳＣ２の相間間隔ｍは、互いに等しい。また、これらの相間間隔ｍは、第１のガス絶縁開閉ユニット３００における相間間隔ｍとも等しい。【００７９】
第２の遮断器モジュール４１０の各相のガス遮断器４１１Ａ、４１１Ｂ、４１１Ｃの左端部上に、Ａ相、Ｂ相、Ｃ相の各相の第４垂直管４２１Ａ、４２１Ｂ、４２１Ｃが、垂直に結合される。同様に、各相のガス遮断器４１１Ａ、４１１Ｂ、４１１Ｃの右端部上に、Ａ相、Ｂ相、Ｃ相の第５垂直管４３１Ａ、４３１Ｂ、４３１Ｃが、垂直に結合される。第２のガス遮断器モジュール４１０に関連して、第１、第２の垂直平面ＶＳ１、ＶＳ２を設定する。第１の垂直平面ＶＳ１は、水平配置平面ＨＳ０と垂直であって、各相のガス遮断器４１１Ａ、４１１Ｂ、４１１Ｃの左端部に交差する垂直平面である。第２の垂直平面ＶＳ２は、水平配置平面ＨＳ０と垂直であって、各相のガス遮断器４１１Ａ、４１１Ｂ、４１１Ｃの右端部に交差する垂直平面である。第１、第２垂直平面ＶＳ１、ＶＳ２は、ｙｚ平面と平行であり、互いに平行な平面であって、Ａ相、Ｂ相、Ｃ相の垂直配置面ＶＳＡ２、ＶＳＢ２、ＶＳＣ２にそれぞれ直交する。これらの第１、第２垂直平面ＶＳ１、ＶＳ２は、それぞれ第１のガス絶縁開閉ユニット３００における第１、第２垂直平面ＶＳ１、ＶＳ２と同じ平面として構成された垂直平面であり、第１、第２の垂直平面ＶＳ１、ＶＳ２の間には、第２の遮断器モジュール４１０の上部に回路配線スペースＣＳが形成される。この回路配線スペースＣＳは、第１のガス絶縁開閉ユニット３００における回路配線スペースＣＳを延長したもので、水平方向の幅Ｗ０が、第１、第２の垂直平面ＶＳ１、ＶＳ２の間隔に等しく、Ａ相、Ｂ相、Ｃ相の垂直配置面ＶＳＡ２、ＶＳＢ２、ＶＳＣ２を横切り、第１、第２の垂直平面ＶＳ１、ＶＳ２の間を延びている。【００８０】
第４垂直管４２１Ａ、４２１Ｂ、４２１Ｃは、それぞれの軸線が、第１の垂直平面ＶＳ１上に位置するようにして、各相のガス遮断器４１１Ａ、４１１Ｂ、４１１Ｃの左端部上に垂直に結合される。具体的には、Ａ相の第４垂直管４２１Ａは、図１０に示すように、その軸線が、第１の垂直平面ＶＳ１とＡ相の垂直配置面ＶＳＡ２との交差線上に位置するようにして、Ａ相のガス遮断器４１１Ａの左端部上に結合される。Ｂ相の第４垂直管４２１Ｂは、図１０に示すように、その軸線が、第１の垂直平面ＶＳ１とＢ相の垂直配置面ＶＳＢ２との交差線上に位置するようにして、Ｂ相のガス遮断器４１１Ｂの左端部上に結合される。同様に、Ｃ相の第４垂直管４２１Ｃは、図１０に示すように、その軸線が、第１の垂直平面ＶＳ１とＣ相の垂直配置面ＶＳＣ２との交差線上に位置するようにして、Ｃ相のガス遮断器４１１Ｃの左端部上に結合される。【００８１】
第５垂直管４３１Ａ、４３１Ｂ、４３１Ｃは、それぞれの軸線が、第２の垂直平面ＶＳ２上に位置するようにして、各相のガス遮断器４１１Ａ、４１１Ｂ、４１１Ｃの右端部上に垂直に結合される。具体的には、Ａ相の第５垂直管４３１Ａは、図１０に示すように、その軸線が、第２の垂直平面ＶＳ２とＡ相の垂直配置面ＶＳＡ２との交差線上に位置するようにして、Ａ相のガス遮断器４１１Ａの右端部上に結合される。Ｂ相の第５垂直管４３１Ｂは、図１０に示すように、その軸線が、第２の垂直平面ＶＳ２とＢ相の垂直配置面ＶＳＢ２との交差線上に位置するようにして、Ｂ相のガス遮断器４１１Ｂの右端部上に結合される。同様に、Ｃ相の第５垂直管４３１Ｃは、図１０に示すように、その軸線が、第２の垂直平面ＶＳ２とＣ相の垂直配置面ＶＳＣ２との交差線上に位置するようにして、Ｃ相のガス遮断器４１１Ｃの右端部上に結合される。【００８２】
各相の第４垂直管４２１Ａ、４２１Ｂ、４２１Ｃは、互いに等しい垂直長さＬＶ１を有し、この垂直長さＬＶ１は、第１のガス絶縁開閉ユニット３００における垂直長さＬＶ１と等しい。また各相の第５垂直管４３１Ａ、４３１Ｂ、４３１Ｃは、互いに等しい垂直長さＬＶ２を有し、この垂直長さＬＶ２も第１のガス絶縁開閉ユニット３００における垂直長さＬＶ２に等しい。垂直長さＬＶ１と垂直長さＬＶ２は、互いに等しい長さとされ、ＬＶ１＝ＬＶ２である。【００８３】
各相のガス遮断器４１１Ａ、４１１Ｂ、４１１Ｃは、第１、第２の垂直平面ＶＳ１、ＶＳ２の間に、それぞれ基準軸線長さＬＳを有する。各相のガス遮断器４１１Ａ、４１１Ｂ、４１１Ｃの基準軸線長さＬＳは、互いに同じ長さとされる。この基準軸線長さＬＳは、第１のガス絶縁開閉ユニット３００における基準軸線長さＬＳと同じとされる。また、各相のガス遮断器４１１Ａ、４１１Ｂ、４１１Ｃは、それぞれの基準軸線長さＬＳの中間点をＰとして、各相のガス遮断器４１１Ａ、４１１Ｂ、４１１Ｃのそれぞれの軸線長さＬＳの中間点Ｐが、第２の方向（ｙ軸の方向）に整列するようにして、配置される。各相のガス遮断器４１１Ａ、４１１Ｂ、４１１Ｃの基準軸線長さＬＳの中間点Ｐは、第１のガス絶縁開閉ユニット３００における各相のガス遮断器３１１Ａ、３１１Ｂ、３１１Ｃの基準軸線長さＬＳの中間点Ｐとも、同じ直線上に整列する。結果として、各相のガス遮断器４１１Ａ、４１１Ｂ、４１１Ｃの両端面で規制される配置スペース幅ＷＳは、第１のガス絶縁開閉ユニット３００における配置スペース幅ＷＳと等しくなり、各相のガス遮断器４１１Ａ、４１１Ｂ、４１１Ｃの基準軸線長さＬＳに、各相のガス遮断器４１１Ａ、４１１Ｂ、４１１Ｃの両端部の端部長さを加えた長さとなり、各相のガス遮断器４１１Ａ、４１１Ｂ、４１１Ｃは、この配置スペース幅ＷＳの中に、コンパクトに配置される。【００８４】
各相のガス遮断器４１１Ａ、４１１Ｂ、４１１Ｃは、２点切りと呼ばれるガス遮断器で構成され、とくに図１１Ａ、図１１Ｂ、図１１Ｃに示すように、それぞれ内部に、２つの遮断用開閉スイッチ１１ａ、１１ｂを含む。これらの遮断用開閉スイッチ１１ａ、１１ｂは、各相のガス遮断器４１１Ａ、４１１Ｂ、４１１Ｃの内部に、それぞれ軸線４１２ａ、４１２ｂ、４１２ｃに沿って配置され、互いに直列に接続される。各相のガス遮断器４１１Ａ、４１１Ｂ、４１１Ｃの下部には、とくに図９、図１１Ａ、図１１Ｂ、図１１Ｃに示すように、スイッチ駆動機構４１５Ａ、４１５Ｂ、４１５Ｃが取り付けられる。スイッチ駆動機構４１５Ａ、４１５Ｂ、４１５Ｃは、それぞれ各相のガス遮断器４１１Ａ、４１１Ｂ、４１１Ｃの各遮断用開閉スイッチ１１ａ、１１ｂを同時に開閉するように駆動する。各相のガス遮断器４１１Ａ、４１１Ｂ、４１１Ｃがそれぞれ、軸線４１２ａ、４１２ｂ、４１２ｃに沿って配置された２つの直列接続された遮断用開閉スイッチ１１ａ、１１ｂを含むので、それぞれの基準軸線長さＬＳは、比較的大きな寸法となり、回路配線スペースＣＳも比較的大きな寸法となる。【００８５】
各相の第４垂直管４２１Ａ、４２１Ｂ、４２１Ｃの上端には、図９、図１１Ａ、図１１Ｂ、図１１Ｃ、図１２に示すように、それぞれＡ相、Ｂ相、Ｃ相の各相の第６垂直管４２２Ａ、４２２Ｂ、４２２Ｃが、垂直に連結される。第６垂直管４２２Ａ、４２２Ｂ、４２２Ｃは、それぞれの軸線が、第１の垂直平面ＶＳ１上に位置するようにして、各相の第４垂直管４２１Ａ、４２１Ｂ、４２１Ｃの上端に垂直に連結される。具体的には、Ａ相の第６垂直管４２２Ａは、その軸線が、第１の垂直平面ＶＳ１とＡ相の垂直配置面ＶＳＡ２との交差線上に位置するようにして、Ａ相の第４垂直管４２１Ａ上に結合される。Ｂ相の第６垂直管４２２Ｂは、その軸線が、第１の垂直平面ＶＳ１とＢ相の垂直配置面ＶＳＢ２との交差線上に位置するようにして、Ｂ相の第４垂直管４２１Ａ上に結合される。同様に、Ｃ相の第６垂直管４２３Ｃは、その軸線が、第１の垂直平面ＶＳ１とＣ相の垂直配置面ＶＳＣ２との交差線上に位置するようにして、Ｃ相の第４垂直管４２１Ｃ上に結合される。【００８６】
さらに、各相の第６垂直管４２２Ａ、４２２Ｂ、４２２Ｃの上端には、図９、図１１Ａ、図１１Ｂ、図１１Ｃ、図１２に示すように、それぞれＡ相、Ｂ相、Ｃ相の各相の第３水平管４２３Ａ、４２３Ｂ、４２３Ｃが連結される。この各相の第３水平管４２３Ａ、４２３Ｂ、４２３Ｃは、それぞれ水平配置平面ＨＳ０と平行な第２の水平平面ＨＳ２上に、第１の方向（ｘ軸の方向）に沿って、回路配線スペースＣＳに向かって水平に延長される。第２の水平平面ＨＳ２は、第１のガス絶縁開閉ユニット３００における第３の水平平面ＨＳ３の上部に設定される。第２の水平平面ＨＳ２と第３の水平平面ＨＳ３との垂直方向の間隔はαであり、第２の水平平面ＨＳ２と第１のガス絶縁開閉ユニット３００における第１の水平平面ＨＳ１との垂直方向の間隔はβである。この間隔βは、２α≦β≦３αの関係を満たすように設定される。Ａ相の第３水平管４２３Ａは、図１２に示すように、第２の水平平面ＨＳ２とＡ相の垂直配置面ＶＳＡ２との交差線上に配置され、Ｂ相の第３水平管４２３Ｂは、第２の水平平面ＨＳ２とＢ相の垂直配置面ＶＳＢ２との交差線上に配置され、またＣ相の第３水平管４２３Ｃは、第２の水平平面ＨＳ２とＣ相の垂直配置面ＶＳＣ２との交差線上に配置される。【００８７】
各相の第５垂直管４３１Ａ、４３１Ｂ、４３１Ｃの上端には、図１１Ａ、図１１Ｂ、図１１Ｃに示すように、それぞれＡ相、Ｂ相、Ｃ相の第７垂直管４３２Ａ、４３２Ｂ、４３２Ｃが、垂直に連結される。第７垂直管４３２Ａ、４３２Ｂ、４３２Ｃは、それぞれの軸線が、第２の垂直平面ＶＳ２上に位置するようにして、各相の第５垂直管４３１Ａ、４３１Ｂ、４３１Ｃの上端に垂直に連結される。具体的には、Ａ相の第７垂直管４３２Ａは、その軸線が、第２の垂直平面ＶＳ２とＡ相の垂直配置面ＶＳＡ２との交差線上に位置するようにして、Ａ相の第５垂直管４３１Ａ上に結合される。Ｂ相の第７垂直管４３２Ｂは、その軸線が、第２の垂直平面ＶＳ２とＢ相の垂直配置面ＶＳＢ２との交差線上に位置するようにして、Ｂ相の第５垂直管４３１Ｂ上に結合される。同様に、Ｃ相の第７垂直管４３２Ｃは、その軸線が、第２の垂直平面ＶＳ２とＣ相の垂直配置面ＶＳＣ２との交差線上に位置するようにして、Ｃ相の第５垂直管４３１Ｃ上に結合される。【００８８】
各相の第７垂直管４３２Ａ、４３２Ｂ、４３２Ｃの上端には、図１１Ａ、図１１Ｂ、図１１Ｃに示すように、それぞれＡ相、Ｂ相、Ｃ相の第４水平管４３３Ａ、４３３Ｂ、４３３Ｃが連結される。この各相の第４水平管４３３Ａ、４３３Ｂ、４３３Ｃは、それぞれ第２の水平平面ＨＳ２上に、第１の方向（ｘ軸の方向）に沿って、回路配線スペースＣＳに向かって水平に延長される。具体的には、Ａ相の第４水平管４３３Ａは、第２の水平平面ＨＳ２とＡ相の垂直配置面ＶＳＡ２との交差線上に配置され、Ｂ相の第４水平管４３３Ｂは、第２の水平平面ＨＳ２とＢ相の垂直配置面ＶＳＢ２との交差線上に配置され、またＣ相の第４水平管４３３Ｃは、第２の水平平面ＨＳ２とＣ相の垂直配置面ＶＳＣ２との交差線上に配置される。【００８９】
各相の第６垂直管４２２Ａ、４２２Ｂ、４２２Ｃは、互いに等しい垂直長さＬＶ３を有し、この垂直長さＬＶ３は、各相の第４垂直管４２１Ａ、４２１Ｂ、４２１Ｃの垂直長さＬＶ１より長い。また各相の第７垂直管４３２Ａ、４３２Ｂ、４３２Ｃは、互いに等しい垂直長さＬＶ４を有し、この垂直長さＬＶ４は、各相の第５垂直管４３１Ａ、４３１Ｂ、４３１Ｃの垂直長さＬＶ２より長い。垂直長さＬＶ３と垂直長さＬＶ４は、互いに等しい長さとされ、ＬＶ３＝ＬＶ４である。【００９０】
第３の回路配線モジュール４５０は、Ａ相、Ｂ相、Ｃ相の各相の第３回路配線４５１Ａ、４５１Ｂ、４５１Ｃを含み、これらの各相の第３回路配線４５１Ａ、４５１Ｂ、４５１Ｃは、それぞれガス絶縁母線で構成される。また、第４の回路配線モジュール４６０は、Ａ相、Ｂ相、Ｃ相の各相の第４回路配線４６１Ａ、４６１Ｂ、４６１Ｃを含み、これらの各相の第４回路配線も、それぞれガス絶縁母線で構成される。【００９１】
第２のガス絶縁開閉ユニット４００では、第３の回路配線モジュール４５０の各相の第３回路配線４５１Ａ、４５１Ｂ、４５１Ｃと、第４の回路配線モジュール４６０の各相の第４回路配線４６１Ａ、４６１Ｂ、４６１Ｃとが、３相の回路配線ラインＬ４、Ｌ５、Ｌ６、Ｌ７を一部で共用しながら、水平配置平面ＨＳ０の上部の回路配線スペースＣＳにコンパクトに配置される。回路配線ラインＬ４は、第１のガス絶縁開閉ユニット３００について、図７Ａ、図７Ｂ、図７Ｃ、図８に示すように設定された回路配線ラインである。回路配線ラインＬ５、Ｌ６、Ｌ７は、回路配線スペースＣＳ内に、第２の方向（ｙ軸の方向）に沿って、Ａ相、Ｂ相、Ｃ相の各垂直配置面ＶＳＡ、ＶＳＢ、ＶＳＣと直交する直線であり、互いに平行に延びるように設定される。【００９２】
回路配線ラインＬ５、Ｌ６は、第３の垂直平面ＶＳ３上に互いに平行に位置する。回路配線ラインＬ５は、第２の水平平面ＨＳ２と第３の垂直平面ＶＳ３との交差線上に位置する。回路配線ラインＬ５は、回路配線ラインＬ４の真上に位置し、回路配線ラインＬ６は、回路配線ラインＬ５の真上に位置する。回路配線ラインＬ５、Ｌ４の垂直方向の間隔はαであり、回路配線ラインＬ５、Ｌ６の垂直方向の間隔もαである。回路配線ラインＬ７は、第４の垂直平面ＶＳ４上に位置するように配置される。回路配線ラインＬ６、Ｌ７の水平方向の間隔もαである。【００９３】
回路配線ラインＬ５、Ｌ６、Ｌ７は、それぞれ直角二等辺三角形の各頂点に配置される。回路配線ラインＬ５と、回路配線ラインＬ７との間が、直角二等辺三角形の斜辺、すなわち長辺である。回路配線ラインＬ５、Ｌ６は、前記直角二等辺三角形の第１の短辺の両端に配置される。また、回路配線ラインＬ６、Ｌ７は、前記直角二等辺三角形の第２の短辺の両端に配置される。【００９４】
第３の回路配線モジュール４５０のＡ相の第３回路配線４５１Ａは、図１１Ａ、図１２に示すように、回路配線ラインＬ５上に位置し、Ａ相のガス遮断器４１１Ａの上に延在するが、Ｂ相、Ｃ相のガス遮断器４１１Ｂ、４１１Ｃの上には延在していない。第３の回路配線モジュール４５０のＢ相の第３回路配線４５１Ｂは、図１１Ａ、図１１Ｂ、図１２に示すように、回路配線ラインＬ６上に位置し、Ａ相、Ｂ相のガス遮断器４１１Ａ、４１１Ｂの上に延在するが、Ｃ相のガス遮断器４１１Ｃの上には延びていない。第３の回路配線モジュール４５０のＣ相の第３回路配線４５１Ｃは、図１１Ａ、図１１Ｂ、図１１Ｃ、図１２に示すように、回路配線ラインＬ７上に位置し、Ａ相、Ｂ相、Ｃ相のガス遮断器４１１Ａ、４１１Ｂ、４１１Ｃの上部に延在している。【００９５】
第４の回路配線モジュール４６０のＡ相の第４回路配線４６１Ａは、図１１Ａ、図１１Ｂ、図１１Ｃ、図１２に示すように、回路配線ラインＬ４上に位置し、Ａ相、Ｂ相、Ｃ相のガス遮断器４１１Ａ、４１１Ｂ、４１１Ｃの上部に延在している。第４の回路配線モジュール４６０のＢ相の第４回路配線４６１Ｂは、図１１Ｂ、図１１Ｃ、図１２に示すように、回路配線ラインＬ５上に、Ａ相の第３回路配線４５１Ａと同軸に位置し、Ｂ相、Ｃ相のガス遮断器４１１Ｂ、４１１Ｃの上部に延在するが、Ａ相の第３回路配線４５１Ａが延在するガス遮断器４１１Ａの上部には、延在しない。また、第４の回路配線モジュール４６０のＣ相の第４回路配線４６１Ｃは、図１１Ｃ、図１２に示すように、回路配線ラインＬ６上に、Ｂ相の第３回路配線４５１Ｂと同軸に位置し、Ｃ相のガス遮断器４１１Ｃの上部に延在するが、Ｂ相の第３回路配線４５１Ｂが延在するＡ相、Ｂ相のガス遮断器４１１Ａ、４１１Ｂの上部には延在しない。【００９６】
第３の回路配線モジュール４５０のＡ相の第３回路配線４５１Ａは、図１１Ａに示すように、Ａ相の第３回路配線４５１Ａと第３水平管４２３Ａとを接続する接続管４５２Ａと、Ａ相の第３水平管４２３Ａと、第６垂直管４２２Ａと、第４垂直管４２１Ａを通じてＡ相のガス遮断器４１１Ａの左端部に接続される。また、第４の回路配線モジュール４６０のＡ相の第４回路配線４６１Ａは、Ａ相の第４回路配線４６１Ａと第４水平管４３３Ａとを接続する接続管４６２Ａ、４６３Ａと、Ａ相の第４水平管４３３Ａと、第７垂直管４３２Ａと、第５垂直管４３１Ａを通じて、Ａ相のガス遮断器４１１Ａの右端部に接続される。これらのＡ相の第３回路配線４５１Ａと第４回路配線４６１Ａとの間の電気接続は、Ａ相のガス遮断器４１１Ａにより開閉される。【００９７】
第３の回路配線モジュール４５０のＢ相の第３回路配線４５１Ｂは、図１１Ｂに示すように、Ｂ相の第３回路配線４５１Ｂと第３水平管４２３Ｂとを接続する接続管４５２Ｂと、Ｂ相の第３水平管４２３Ｂと、第６垂直管４２２Ａと、第４垂直管４２１Ｂとを通じてＢ相のガス遮断器４１１Ｂの左端部に接続される。また、第４の回路配線モジュール４６０のＢ相の第４回路配線４６１Ｂは、Ｂ相の第４回路配線４６１Ｂと第４水平管４３３Ｂとを接続する接続管４６２Ｂと、Ｂ相の第４水平管４３３Ｂと、第７垂直管４３２Ｂと、第５垂直管４３１Ｂを通じて、Ｂ相のガス遮断器４１１Ｂに右端部に接続される。これらのＢ相の第３回路配線４５１Ｂと第４回路配線４６１Ｂとの間の電気接続は、Ｂ相のガス遮断器４１１Ｂにより開閉される。【００９８】
第３の回路配線モジュール４５０のＣ相の第３回路配線４５１Ｃは、図１１Ｃに示すように、Ｃ相の第３回路配線４５１Ｃと第３水平管４２３Ｃとを接続する接続管４５２Ｃと、Ｃ相の第３水平管４２３Ｃと、第６垂直管４２２Ｃと、第４垂直管４２１Ｃとを通じてＣ相のガス遮断器４１１Ｃの左端部に接続される。また、第４の回路配線モジュール４６０のＣ相の第４回路配線４６１Ｃは、Ｃ相の第４回路配線４６１Ｃと第４水平管４３３Ｃとを接続する接続管４６２Ｃ、４６３Ｃと、Ｃ相の第４水平管４３３Ｃと、第７垂直管４３２Ｃと、第５垂直管４３１Ｃを通じて、Ｃ相のガス遮断器４１１Ｂに右端部に接続される。これらのＣ相の第３回路配線４５１Ｃと第４回路配線４６１Ｃとの間の電気接続は、Ｃ相のガス遮断器４１１Ｃにより開閉される。【００９９】
各相の第３水平管４２３Ａ、４２３Ｂ、４２３Ｃは、第３の回路配線モジュール４５０の各相の第３回路配線４５１Ａ、４５１Ｂ、４５１Ｃのそれぞれに対応する断路器ＤＳを内蔵する。また、各相の第４垂直管４２１Ａ、４２１Ｂ、４２１Ｃは、第３の回路配線モジュール４５０の各相の第３回路配線４５１Ａ、４５１Ｂ、４５１Ｃのそれぞれに対応する計器用変流器ＣＴを内蔵する。【０１００】
各相の第４水平管４３３Ａ、４３３Ｂ、４３３Ｃは、第４の回路配線モジュール４６０の各相の第４回路配線４６１Ａ、４６１Ｂ、４６１Ｃのそれぞれに対応する断路器ＤＳを内蔵し、また各相の第５垂直管４３１Ａ、４３１Ｂ、４３１Ｃは、第４の回路配線モジュール４６０の各相の第４回路配線４６１Ａ、４６１Ｂ、４６１Ｃのそれぞれに対応する計器用変流器ＣＴを内蔵する。【０１０１】
実施の形態２のガス絶縁開閉ユニット４００では、Ａ相のガス遮断器４１１Ａは、第３の回路配線モジュール４５０のＡ相の第３回路配線４５１Ａと、第４の回路配線モジュール４６０のＡ相の第４回路配線４６１Ａとの間の電気接続を開閉する。Ｂ相のガス遮断器４１１Ｂは、第３の回路配線モジュール４５０のＢ相の第３回路配線４５１Ｂと、第４の回路配線モジュール４６０のＢ相の第４回路配線４６１Ｂとの間の電気接続を開閉する。同様に、Ｃ相のガス遮断器４１１Ｃは、第３の回路配線モジュール４５０のＣ相の第３回路配線４５１Ｃと、第４の回路配線モジュール４６０のＣ相の第４回路配線４６１Ｃとの間の電気接続を開閉する。【０１０２】
実施の形態２のガス絶縁開閉装置２００においても、実施の形態１のガス絶縁開閉装置１００と同様な効果を得ることができる。加えて、実施の形態２のガス絶縁開閉装置２００における第１のガス絶縁開閉ユニット３００では、第１の回路配線モジュール３５０のＡ相の第１回路配線３５１Ａは、第３の垂直平面ＶＳ３上でＡ相のガス遮断器３１１Ａの上部に延在し、Ｂ相の第１回路配線３５１Ｂは、第３の垂直平面ＶＳ３上で、Ａ相とＢ相の各ガス遮断器３１１Ａ、３１１Ｂの上部に延在し、Ｃ相の第１回路配線３５１Ｃは、第４の垂直平面ＶＳ４上でＡ相、Ｂ相、Ｃ相の各ガス遮断器３１１Ａ、３１１Ｂ、３１１Ｃの上部に延在し、また、第２の回路配線モジュール３６０のＡ相、Ｂ相、Ｃ相の各相の第２回路配線３６１Ａ、３６１Ｂ、３６１Ｃは、それぞれガス絶縁母線で構成され、Ａ相の第２回路配線３６１Ａは、Ａ相の第１回路配線３５１Ａと平行に、第３の垂直平面ＶＳ３上に配置され、Ａ相、Ｂ相、Ｃ相の各相のガス遮断器３１１Ａ、３１１Ｂ、３１１Ｃの上部に延在し、Ｂ相の第２回路配線３６１Ｂは、第３の垂直平面ＶＳ３上に、Ａ相の第１回路配線３５１Ａと同軸に配置され、Ｂ相とＣ相のガス遮断器３１１Ｂ、３１１Ｃの上部に延在し、Ｃ相の第２回路配線３６１Ｃは、第３の垂直平面ＶＳ３上に、Ｂ相の第１回路配線３５１Ｂと同軸上に配置され、Ｃ相のガス遮断器３１１Ｃの上部に延在するので、第１、第２の回路配線モジュール３５０、３６０をコンパクトに配置することができる。【０１０３】
また、実施の形態２のガス絶縁開閉装置２００の第１のガス絶縁開閉ユニット３００では、さらに、前記Ａ相、Ｂ相、Ｃ相の各相の第２垂直管３３１Ａ、３３１Ｂ、３３１Ｃ上に垂直に連結されたＡ相、Ｂ相、Ｃ相の各相の第３垂直管３３２A、３３２Ｂ、３３２Ｃ、およびこれらの各相の第３垂直管３３２Ａ、３３２Ｂ、３３２Ｃの上に第１の方向に延びるように連結されたＡ相、Ｂ相、Ｃ相の各相の水平管３３３Ａ、３３３Ｂ、３３３Ｃを備え、Ａ相の第２回路配線３６１Ａは、Ａ相の水平管３３３ＡとＡ相の第３垂直管３３２ＡとＡ相の第２垂直管３３１Ａを通じてＡ相のガス遮断器３１１Ａに、Ｂ相の第２回路配線３６１Ｂは、Ｂ相の水平管３３３ＢとＢ相の第３垂直管３３２ＢとＢ相の第２垂直管３３１Ｂを通じてＢ相のガス遮断器３１１Ｂに、またＣ相の第３回路配線３６１Ｃは、Ｃ相の水平管３３３ＣとＣ相の第３垂直管３３２ＣとＣ相の第２垂直管３３１Ｃを通じてＣ相のガス遮断器３１１Ｃに、それぞれ接続されるので、第２の回路配線モジュール３６０を簡単に各相のガス遮断器３１１Ａ、３１１Ｂ、３１１Ｃに接続することができる。【０１０４】
また、実施の形態２のガス絶縁開閉装置２００は、さらに第２のガス絶縁開閉ユニット４００について、Ａ相、Ｂ相、Ｃ相の各相の第２ガス遮断器４１１Ａ、４１１Ｂ、４１１Ｃを含み、各相の第２ガス遮断器４１１Ａ、４１１Ｂ、４１１Ｃの軸線４１２ａ、４１２ｂ、４１２ｃが、水平配置平面ＨＳ０上で、第１の方向に互いに平行に延びるように配置された第２の遮断器モジュール４１０、各相の第２ガス遮断器４１１Ａ、４１１Ｂ、４１１Ｃのそれぞれの一端部上に垂直に結合されたＡ相、Ｂ相、Ｃ相の各相の第４垂直管４２１Ａ、４２１Ｂ、４２１Ｃ、第２の遮断器ユニット４１０の上部に配置され、各相の第４垂直管４２１Ａ、４２１Ｂ、４２１Ｃを通じて各相の第２ガス遮断器４１１Ａ、４１１Ｂ、４１１Ｃにそれぞれ接続されたＡ相、Ｂ相、Ｃ相の各相の第３回路配線４５１Ａ、４５１Ｂ、４５１Ｃを含む第３の回路配線モジュール４５０、各相の第２ガス遮断器４１１A、４１１Ｂ、４１１Ｃのそれぞれの他端部上に垂直に結合されたＡ相、Ｂ相、Ｃ相の各相の第５垂直管４３１Ａ、４３１Ｂ、４３１Ｃ、および各相の第５垂直管４３１Ａ、４３１Ｂ、４３１Ｃを通じて各相の第２ガス遮断器４１１Ａ、４１１Ｂ、４１１Ｃにそれぞれ接続されたＡ相、Ｂ相、Ｃ相の第４回路配線４６１Ａ、４６１Ｂ、４６１Ｃを含む第４の回路配線モジュール４６０を備え、Ａ相の第２ガス遮断器４１１Ａが、Ａ相の第３回路配線４５１ＡとＡ相の第４回路配線４６１Ａとの間の電気接続を、Ｂ相の第２ガス遮断器４１１Ｂが、Ｂ相の第３回路配線４５１ＢとＢ相の第４回路配線４６１Ｂとの間の電気接続を、またＣ相の第２ガス遮断器４１１Ｃが、Ｃ相の第３回路配線４５１ＣとＣ相の第４回路配線４６１Ｃとの間の電気接続をそれぞれ開閉するものであって、各相の第４垂直管４２１Ａ、４２１Ｂ、４２１Ｃは、第１の垂直平面ＶＳ１上に配置され、各相の第５垂直管４３１Ａ、４３１Ｂ、４３１Ｃは、第２の垂直平面ＶＳ２上に配置され、第２の遮断器モジュール４１０の各相のガス遮断器４１１Ａ、４１１Ｂ、４１１Ｃは、第１、第２の垂直平面ＶＳ１、ＶＳ２の間で互いに同じ長さの基準軸線長さＬＳを有し、第３の回路配線モジュール４５０の各相の第３回路配線４５１Ａ、４５１Ｂ、４５１Ｃは、それぞれガス絶縁母線で構成され、第２の方向に沿って互いに平行に延び、また、各相の第３回路配線４５１Ａ、４５１Ｂ、４５１Ｃは、直角二等辺三角形の各頂点に位置し、Ａ相とＢ相の各相の第３回路配線４５１Ａ、４５１Ｂは、前記直角二等辺三角形の短辺の両端に位置して、第３の垂直平面ＶＳ３上に配置され、Ｃ相の第３回路配線４５１Ｃは、第４の垂直平面ＶＳ４上に配置されるので、第２の遮断器モジュール４１０、第３の回路配線モジュール４５０、および第４の回路配線モジュール４６０を小さな配置スペースにコンパクトに配置することができる。【０１０５】
また、実施の形態２のガス絶縁開閉装置２００では、第２のガス絶縁開閉ユニット４００について、Ａ相の第３回路配線４５１Ａは、第３の垂直平面ＶＳ３上でＡ相の第２ガス遮断器４１１Ａの上部に延在し、Ｂ相の第３回路配線４５１Ｂは、第３の垂直平面ＶＳ３上でＡ相とＢ相の各第２ガス遮断器４１１Ａ、４１１Ｂの上部に延在し、Ｃ相の第３回路配線４５１Ｃは、第４の垂直平面ＶＳ４上でＡ相、Ｂ相、Ｃ相の各ガス遮断器４１１Ａ、４１１Ｂ、４１１Ｃの上部に延在し、Ａ相、Ｂ相、Ｃ相の各相の第４回路配線４６１Ａ、４６１Ｂ、４６１Ｃは、それぞれガス絶縁母線で構成され、Ａ相の第４回路配線４６１Ａは、Ａ相の第３回路配線４５１Ａと平行に、第３の垂直平面ＶＳ３上に配置され、Ａ相、Ｂ相、Ｃ相の第２ガス遮断器４１１Ａ、４１１Ｂ、４１１Ｃの上部に延在し、Ｂ相の第４回路配線４６１Ｃは、第３の垂直平面ＶＳ３上に、Ａ相の第３回路配線４５１Ａと同軸に配置され、Ｂ相、Ｃ相の第２ガス遮断器４１１Ｂ、４１１Ｃの上部に延在し、またＣ相の第４回路配線４６１Ｃは、第３の垂直平面ＶＳ３上に、Ｂ相の第３回路配線４５１Ｂと同軸に配置され、Ｃ相の第２ガス遮断器４１１Ｃの上部に延在するので、第３、第４の回路配線モジュール４５０、４６０をコンパクトに配置することができる。【０１０６】
また、実施の形態２のガス絶縁開閉装置２００では、Ａ相のガス遮断器３１１ＡおよびＡ相の第２ガス遮断器４１１Ａ上において、それぞれ、第３の垂直平面ＶＳ３上に、下から上に向かって、Ｂ相の第１回路配線３５１Ｂと、Ａ相の第１回路配線３５１Ａと、Ａ相の第２回路配線３６１Ａと、Ａ相の第３回路配線４５１Ａと、Ｂ相の第３回路配線４６１Ｂが配置され、第３の垂直平面ＶＳ３上におけるＡ相とＢ相の各第１回路配線３５１Ａ、３５１Ｂの間隔をαとし、第３の垂直平面ＶＳ３上におけるＡ相とＢ相の各第３回路配線４５１Ａ、４５１Ｂの間隔をαとし、第３の垂直平面上ＶＳ３におけるＡ相の第１回路配線３５１ＡとＡ相の第３回路配線４５１Ａの間隔βを、２α≦β≦３αとしたので、第１〜第４の回路配線モジュール３５０、３６０、４５０、４６０を、垂直高さを抑えながら、コンパクトに配置できる。【０１０７】
また実施の形態２のガス絶縁開閉装置２００では、さらに、第１の垂直平面ＶＳ１と第４の垂直平面ＶＳ４との間隔をαとし、第３の垂直平面ＶＳ３と第４の垂直平面ＶＳ４との間隔をαとし、第２の垂直平面ＶＳ２と第３の垂直平面ＶＳ３との間隔を２αとしたので、第３の垂直平面ＶＳ３の両側において各回路配線モジュール３５０、３６０、４５０、４６０を遮断器モジュール３１０、４１０に効果的に接続できる。【０１０８】
実施の形態３．
実施の形態３のガス絶縁開閉装置５００は、母線連結ユニットと呼ばれるガス絶縁開閉装置である。この実施の形態３のガス絶縁開閉装置５００は、遮断器モジュール５１０と、第１の回路配線モジュール５５０と、第２の回路配線モジュール５６０を含む。このガス絶縁開閉装置では、第１の回路配線モジュール５５０と第２の回路配線モジュール５６０との間の電気接続を、遮断器モジュール５１０により開閉する。遮断器モジュール５１０の上部に第１の回路配線モジュール５５０が配置され、第１の回路配線モジュール５５０の上部に第２の回路配線モジュール５６０が配置される。第２の回路配線モジュール５６０は、第１の回路配線モジュール５５０と関連して、小さい配置スペースに配置される。【０１０９】
図１３、図１４、図１５Ａ、図１５Ｂ、図１５Ｃ、図１６は、実施の形態３のガス絶縁開閉装置５００を示し、図１３はその左側面図、図１４はその平面図、図１５Ａは、そのＡ相の垂直配置面ＶＳＡに対応する正面図、図１５Ｂは、そのＢ相の垂直配置面ＶＳＢに対応する正面図、図１５Ｃは、そのＣ相の垂直配置面ＶＳＣに対応する正面図、図１６は、図１５Ａ、１５Ｂ、１５ＣにおけるＷ−Ｗ線による断面図である。【０１１０】
このガス絶縁開閉装置５００は、実施の形態１のガス絶縁開閉装置１００と基本的に同じ発想で構成される。第１、第２の回路配線モジュール５５０、５６０は、母線連絡ユニットを構成するために、実施の形態１の第１、第２の回路配線モジュール５０、６０から変形される。【０１１１】
遮断器モジュール５１０は、実施の形態１の遮断器モジュール１０と同じに構成される。この遮断器モジュール５１０は、Ａ相のガス遮断器５１１Ａと、Ｂ相のガス遮断器５１１Ｂと、Ｃ相のガス遮断器５１１Ｃと、共通の架台５１３を含む。架台５１３は、図１３、図１５Ａ、図１５Ｂ、図１５Ｃに示すように、据付面１４上に固定される。各相のガス遮断器５１１Ａ、５１１Ｂ、５１１Ｃは、架台５１３上に固定される。各相のガス遮断器５１１Ａ、５１１Ｂ、５１１Ｃは円筒状に構成され、図１３、図１６に示すように、それぞれ軸線５１２ａ、５１２ｂ、５１２ｃを有する。各相のガス遮断器５１１Ａ、５１１Ｂ、５１１Ｃは、水平配置平面ＨＳ０上に配置され、それぞれ架台５１３に取り付けられる。【０１１２】
実施の形態３のガス絶縁開閉装置５００の構成を説明するために、ｘ軸とｙ軸とｚ軸を含む３軸直交座標を想定し、水平配置平面ＨＳ０がこの３軸直交座標のｘ、ｙ平面に存在するものとする。遮断器モジュール５１０の各相のガス遮断器５１１Ａ、５１１Ｂ、５１１Ｃは、図１３、図１６に示すように、それぞれの軸線５１２ａ、５１２ｂ、５１２ｃが、水平配置平面ＨＳ０（ｘｙ平面）上に位置し、しかもそれぞれの軸線５１２ａ、５１２ｂ、５１２ｃが、第１の方向（ｘ軸の方向）に沿って、互いにほぼ平行に延びるように、配置される。【０１１３】
ガス絶縁開閉装置５００に関連して、図１３、図１４、図１６に示すように、Ａ相の垂直配置面ＶＳＡと、Ｂ相の垂直配置面ＶＳＢと、Ｃ相の垂直配置面ＶＳＣを設定する。Ａ相の垂直配置面ＶＳＡは、水平配置平面ＨＳ０と垂直であって、Ａ相のガス遮断器５１１Ａの軸線５１２ａを含む垂直平面である。Ｂ相の垂直配置面ＶＳＢは、水平配置平面ＨＳ０と垂直であって、Ｂ相のガス遮断器５１１Ｂの軸線５１２ｂを含む垂直平面である。Ｃ相の垂直配置面ＶＳＣは、水平配置平面ＨＳ０と垂直であって、Ｃ相のガス遮断器５１１Ｃの軸線５１２ｃを含む垂直平面である。これらのＡ相、Ｂ相、Ｃ相の垂直配置面ＶＳＡ、ＶＳＢ、ＶＳＣは、３軸直交座標のｘ、ｚ平面に平行であり、互いに平行な平面である。図１３、図１４に示す垂直配置面ＶＳＡ、ＶＳＢの相間間隔ｍと、垂直配置面ＶＳＢ、ＶＳＣの相間間隔ｍは、互いに等しい。【０１１４】
各相のガス遮断器５１１Ａ、５１１Ｂ、５１１Ｃの左端部上に、Ａ相、Ｂ相、Ｃ相の各相の第１垂直管５２１Ａ、５２１Ｂ、５２１Ｃが、垂直に結合される。同様に、各相のガス遮断器５１１Ａ、５１１Ｂ、５１１Ｃの右端部上に、Ａ相、Ｂ相、Ｃ相の第２垂直管５３１Ａ、５３１Ｂ、５３１Ｃが、垂直に結合される。ガス絶縁開閉装置５００に関連して、第１、第２の垂直平面ＶＳ１、ＶＳ２を設定する。第１の垂直平面ＶＳ１は、水平配置平面ＨＳ０と垂直であって、各相のガス遮断器５１１Ａ、５１１Ｂ、５１１Ｃの左端部に交差する垂直平面である。第２の垂直平面ＶＳ２は、水平配置平面ＨＳ０と垂直であって、各相のガス遮断器５１１Ａ、５１１Ｂ、５１１Ｃの右端部に交差する垂直平面である。第１、第２の垂直平面ＶＳ１、ＶＳ２は、ｙｚ平面と平行であり、互いに平行な平面であって、Ａ相、Ｂ相、Ｃ相の垂直配置面ＶＳＡ、ＶＳＢ、ＶＳＣにそれぞれ直交する。図１５Ａ、図１５Ｂ、図１５Ｃに示すように、第１、第２の垂直平面ＶＳ１、ＶＳ２の間には、遮断器モジュール５１０の上部に回路配線スペースＣＳが形成される。この回路配線スペースＣＳは、水平方向の幅Ｗ０が、第１、第２の垂直平面ＶＳ１、ＶＳ２と間隔に等しく、Ａ相、Ｂ相、Ｃ相の垂直配置面ＶＳＡ、ＶＳＢ、ＶＳＣを横切り、第１、第２の垂直平面ＶＳ１、ＶＳ２の間を延びている。【０１１５】
第１垂直管５２１Ａ、５２１Ｂ、５２１Ｃは、それぞれの軸線が、第１の垂直平面ＶＳ１上に位置するようにして、各相のガス遮断器５１１Ａ、５１１Ｂ、５１１Ｃの左端部上に垂直に結合される。具体的には、Ａ相の第１垂直管５２１Ａは、図１４に示すように、その軸線が、第１の垂直平面ＶＳ１とＡ相の垂直配置面ＶＳＡとの交差線上に位置するようにして、Ａ相のガス遮断器５１１Ａの左端部上に結合される。Ｂ相の第１垂直管５２１Ｂは、図１４に示すように、その軸線が、第１の垂直平面ＶＳ１とＢ相の垂直配置面ＶＳＢとの交差線上に位置するようにして、Ｂ相のガス遮断器５１１Ｂの左端部上に結合される。同様に、Ｃ相の第１垂直管５２１Ｃは、図１４に示すように、その軸線が、第１の垂直平面ＶＳ１とＣ相の垂直配置面ＶＳＣとの交差線上に位置するようにして、Ｃ相のガス遮断器５１１Ｃの左端部上に結合される。【０１１６】
第２垂直管５３１Ａ、５３１Ｂ、５３１Ｃは、それぞれの軸線が、第２の垂直平面ＶＳ２上に位置するようにして、各相のガス遮断器５１１Ａ、５１１Ｂ、５１１Ｃの右端部上に垂直に結合される。具体的には、Ａ相の第２垂直管５３１Ａは、図１４に示すように、その軸線が、第２の垂直平面ＶＳ２とＡ相の垂直配置面ＶＳＡとの交差線上に位置するようにして、Ａ相のガス遮断器５１１Ａの右端部上に結合される。Ｂ相の第２垂直管５３１Ｂは、図１４に示すように、その軸線が、第２の垂直平面ＶＳ２とＢ相の垂直配置面ＶＳＢとの交差線上に位置するようにして、Ｂ相のガス遮断器５１１Ｂの右端部上に結合される。同様に、Ｃ相の第２垂直管５３１Ｃは、図１４に示すように、その軸線が、第２の垂直平面ＶＳ２とＣ相の垂直配置面ＶＳＣとの交差線上に位置するようにして、Ｃ相のガス遮断器５１１Ｃの右端部上に結合される。【０１１７】
各相の第１垂直管５２１Ａ、５２１Ｂ、５２１Ｃは、互いに等しい垂直長さＬＶ１を有し、また各相の第２垂直管５３１Ａ、５３１Ｂ、５３１Ｃは、互いに等しい垂直長さＬＶ２を有する。垂直長さＬＶ１と垂直長さＬＶ２は、互いに等しい長さとされ、ＬＶ１＝ＬＶ２である。【０１１８】
各相のガス遮断器５１１Ａ、５１１Ｂ、５１１Ｃは、第１、第２の垂直平面ＶＳ１、ＶＳ２の間に、それぞれ基準軸線長さＬＳを有する。各相のガス遮断器５１１Ａ、５１１Ｂ、５１１Ｃの基準軸線長さＬＳは、互いに同じ長さとされる。また、各相のガス遮断器５１１Ａ、５１１Ｂ、５１１Ｃは、それぞれの基準軸線長さＬＳの中間点をＰとして、各相のガス遮断器５１１Ａ、５１１Ｂ、５１１Ｃのそれぞれの軸線長さＬＳの中間点Ｐが、第２の方向（ｙ軸の方向）と平行な第２の直線上に整列するようにして、配置される。結果として、各相のガス遮断器５１１Ａ、５１１Ｂ、５１１Ｃの両端面で規制される配置スペース幅ＷＳは、各相のガス遮断器５１１Ａ、５１１Ｂ、５１１Ｃの基準軸線長さＬＳに、各相のガス遮断器５１１Ａ、５１１Ｂ、５１１Ｃの両端部の端部長さを加えた長さとなり、各相のガス遮断器５１１Ａ、５１１Ｂ、５１１Ｃは、この配置スペース幅ＷＳの中に、コンパクトに配置される。【０１１９】
各相のガス遮断器５１１Ａ、５１１Ｂ、５１１Ｃは、２点切りと呼ばれるガス遮断器で構成され、図１５Ａ、図１５Ｂ、図１５Ｃに示すように、それぞれ内部に、２つの遮断用開閉スイッチ１１ａ、１１ｂを含む。これらの遮断用開閉スイッチ１１ａ、１１ｂは、各相のガス遮断器５１１Ａ、５１１Ｂ、５１１Ｃの内部に、それぞれ軸線５１２ａ、５１２ｂ、５１２ｃに沿って配置され、互いに直列に接続される。各相のガス遮断器５１１Ａ、５１１Ｂ、５１１Ｃの下部には、図１３、図１５Ａ、図１５Ｂ、図１５Ｃに示すように、スイッチ駆動機構５１５Ａ、５１５Ｂ、５１５Ｃがそれぞれ取り付けられる。スイッチ駆動機構５１５Ａ、５１５Ｂ、５１５Ｃは、それぞれ各相のガス遮断器５１１Ａ、５１１Ｂ、５１１Ｃの各遮断用開閉スイッチ１１ａ、１１ｂを同時に開閉するように駆動する。各相のガス遮断器５１１Ａ、５１１Ｂ、５１１Ｃがそれぞれ、軸線５１２ａ、５１２ｂ、５１２ｃに沿って配置された２つの直列接続された遮断用開閉スイッチ１１ａ、１１ｂを含むので、それぞれの基準軸線長さＬＳは、比較的大きな寸法となり、回路配線スペースＣＳには、回路配線モジュール５５０、５６０を配置するに充分な幅を持つ。【０１２０】
各相の第１垂直管５２１Ａ、５２１Ｂ、５２１Ｃの上端には、それぞれＡ相、Ｂ相、Ｃ相の各相の第１水平管５２２Ａ、５２２Ｂ、５２２Ｃが連結される。この各相の第１水平管５２２Ａ、５２２Ｂ、５２２Ｃは、図１５Ａ、図１５Ｂ、図１５Ｃに示すように、それぞれ水平配置平面ＨＳ０と平行な第１の水平平面ＨＳ１上に、第１の方向（ｘ軸の方向）に沿って、回路配線スペースＣＳに向かって水平に延長される。具体的には、Ａ相の第１水平管５２２Ａは、図１６に示すように、第１の水平平面ＨＳ１とＡ相の垂直配置面ＶＳＡとの交差線上に配置され、Ｂ相の第１水平管５２２Ｂは、第１水平平面ＨＳ１とＢ相の垂直配置面ＶＳＢとの交差線上に配置され、またＣ相の第１水平管５２２Ｃは、第１水平平面ＨＳ１とＣ相の垂直配置面ＶＳＣとの交差線上に配置される。【０１２１】
各相の第２垂直管５３１Ａ、５３１Ｂ、５３１Ｃの上端には、図１５Ａ、図１５Ｂ、図１５Ｃに示すように、それぞれＡ相、Ｂ相、Ｃ相の第３垂直管５３２Ａ、５３２Ｂ、５３２Ｃが、垂直に連結される。第３垂直管５３２Ａ、５３２Ｂ、５３２Ｃは、それぞれの軸線が、第２の垂直平面ＶＳ２上に位置するようにして、各相の第２垂直管５３１Ａ、５３１Ｂ、５３１Ｃの上端に垂直に連結される。具体的には、Ａ相の第３垂直管５３２Ａは、その軸線が、第２の垂直平面ＶＳ２とＡ相の垂直配置面ＶＳＡとの交差線上に位置するようにして、Ａ相の第２垂直管５３１Ａ上に結合される。Ｂ相の第３垂直管５３２Ｂは、その軸線が、第２の垂直平面ＶＳ２とＢ相の垂直配置面ＶＳＢとの交差線上に位置するようにして、Ｂ相の第２垂直管５３１Ｂ上に結合される。同様に、Ｃ相の第３垂直管５３２Ｃは、その軸線が、第２の垂直平面ＶＳ２とＣ相の垂直配置面ＶＳＣとの交差線上に位置するようにして、Ｃ相の第２垂直管５３１Ｃ上に結合される。【０１２２】
第３垂直管５３２Ａ、５３２Ｂ、５３２Ｃは、それぞれ互いに同じ垂直長さＬＶ４を有する。この垂直長さＬＶ４は、垂直長さＬＶ１、ＬＶ２よりも長い。【０１２３】
各相の第３垂直管５３２Ａ、５３２Ｂ、５３２Ｃの上端には、図１５Ａ、図１５Ｂ、図１５Ｃに示すように、それぞれＡ相、Ｂ相、Ｃ相の第２水平管５３３Ａ、５３３Ｂ、５３３Ｃが連結される。この各相の第２水平管５３３Ａ、５３３Ｂ、５３３Ｃは、それぞれ第１の水平平面ＨＳ１の上部に第１水平平面ＨＳ１と平行に位置する第２水平平面ＨＳ２上に、第１の方向（ｘ軸の方向）に沿って、回路配線スペースＣＳに向かって水平に延長される。具体的には、Ａ相の第２水平管５３３Ａは、第２の水平平面ＨＳ２とＡ相の垂直配置面ＶＳＡとの交差線上に配置され、Ｂ相の第２水平管５３３Ｂは、第２の水平平面ＨＳ２とＢ相の垂直配置面ＶＳＢとの交差線上に配置され、またＣ相の第２水平管５３３Ｃは、第２の水平平面ＨＳ２とＣ相の垂直配置面ＶＳＣとの交差線上に配置される。第１、第２の水平平面ＨＳ１、ＨＳ２の垂直方向の間隔はβである。【０１２４】
第１、第２の回路配線モジュール５５０、５６０は、回路配線スペースＣＳに配置される。第１の回路配線モジュール５５０は、回路配線スペースＣＳ内に、遮断器モジュール５１０の上部に配置される。第２の回路配線モジュール５６０は、回路配線スペースＣＳ内に、第１の回路配線モジュール５５０の上部に配置される。第１の回路配線モジュール５５０は、Ａ相、Ｂ相、Ｃ相の各相の第１回路配線５５１Ａ、５５１Ｂ、５５１Ｃを含み、これらの各相の第１回路配線５５１Ａ、５５１Ｂ、５５１Ｃは、それぞれガス絶縁母線で構成される。また、第２の回路配線モジュール５６０は、Ａ相、Ｂ相、Ｃ相の各相の第２回路配線５６１Ａ、５６１Ｂ、５６１Ｃを含み、これらの各相の第２回路配線も、それぞれガス絶縁母線で構成される。【０１２５】
第１の回路配線モジュール５５０の各相の第１回路配線５５１ａ、５５１Ｂ、５５１Ｃは、回路配線スペースＣＳ内において、それぞれ回路配線ラインＬ１、Ｌ２、Ｌ３上に配置される。また、第２の回路配線モジュール５６０の各相の第２回路配線５６１Ａ、５６１Ｂ、５６１Ｃは、回路配線スペースＣＳ内において、それぞれ回路配線ラインＬ５、Ｌ６、Ｌ７上に配置される。回路配線ラインＬ１〜Ｌ３、Ｌ５〜Ｌ７は、回路配線スペースＣＳ内に、第２の方向（ｙ軸の方向）に沿って、Ａ相、Ｂ相、Ｃ相の各垂直配置平面ＶＳＡ、ＶＳＢ、ＶＳＣと直交する直線であり、互いに平行に延びるように設定される。【０１２６】
回路配線ラインＬ１〜Ｌ３、Ｌ５〜Ｌ７に関連して、図１４、図１５Ａ，図１５Ｂ、図１５Ｃに示すように、第１垂直平面ＶＳ１と第２垂直平面ＶＳ２との間に、それらに平行な第３の垂直平面ＶＳ３を設定する。この第３の垂直平面ＶＳ３は、具体的には、第１の垂直平面ＶＳ１と第２の垂直平面ＶＳ２とのちょうど中間に位置し、各相のガス遮断器５１１Ａ、５１１Ｂ、５１１Ｃの各基準軸線長さＬＳの中間点Ｐを通る垂直平面である。第３の垂直平面ＶＳ３と第１の垂直平面ＶＳ１との水平方向の間隔は２αであり、また第３の垂直平面ＶＳ３と第２の垂直平面ＶＳ２との水平方向の間隔も２αである。また、第１の垂直平面ＶＳ１と第３の垂直平面ＶＳ３との間に、それらに平行な第４の垂直平面ＶＳ４を設定する。この第４の垂直平面ＶＳ４は、第１の垂直平面ＶＳ１と第３の垂直平面ＶＳ３とのちょうど中間に位置する。第４の垂直平面ＶＳ４と第１の垂直平面ＶＳ１との水平方向の間隔はαであり、第４の垂直平面ＶＳ４と第３の垂直平面ＶＳ３との水平方向の間隔もαである。【０１２７】
回路配線ラインＬ１、Ｌ２、Ｌ５、Ｌ６は、第３の垂直平面ＶＳ３上に互いに平行に位置する。回路配線ラインＬ１が、第１の水平平面ＨＳ１と第３の垂直平面ＶＳ３との交差線上に位置し、回路配線ラインＬ２が回路配線ラインＬ１の真下に位置する。また、回路配線ラインＬ５が、第２の水平平面ＨＳ２と第３の垂直平面ＶＳ３との交差線上に位置し、回路配線ラインＬ６が回路配線ラインＬ５の真上に位置する。回路配線ラインＬ１、Ｌ２の垂直方向の間隔はαとされる。回路配線ラインＬ５、Ｌ６の垂直方向の間隔もαとされる。回路配線ラインＬ１、Ｌ５の垂直方向の間隔はβとされる。この間隔βは、２α≦β≦３αの関係を満足するように設定される。回路配線ラインＬ３、Ｌ７は、第４の垂直平面ＶＳ４上に位置する。回路配線ラインＬ３、Ｌ２の水平方向の間隔はαであり、回路配線ラインＬ５、Ｌ７の水平方向の間隔もαである。【０１２８】
回路配線ラインＬ１、Ｌ２、Ｌ３は、図１５Ａに示すように、それぞれ直角二等辺三角形の各頂点に配置される。回路配線ラインＬ１と、回路配線ラインＬ３との間が、直角二等辺三角形の斜辺、すなわち長辺である。回路配線ラインＬ１、Ｌ２は、前記直角二等辺三角形の第１の短辺の両端に配置される。また、回路配線ラインＬ２、Ｌ３は、前記直角二等辺三角形の第２の短辺の両端に配置される。回路配線ラインＬ５、Ｌ６、Ｌ７も、図１５Ｃに示すように、それぞれ二等辺三角形の各頂点に配置される。回路配線ラインＬ５と、回路配線ラインＬ７との間が、直角二等辺三角形の斜辺、すなわち長辺である。回路配線ラインＬ５、Ｌ６は、前記直角二等辺三角形の第１の短辺の両端に配置される。また、回路配線ラインＬ６、Ｌ７は、前記直角二等辺三角形の第２の短辺の両端に配置される。【０１２９】
第１の回路配線モジュール５５０のＡ相の第１回路配線５５１Ａは、図１５Ａ、図１６に示すように回路配線ラインＬ１上に位置し、Ａ相のガス遮断器５１１Ａの上に延在するが、Ｂ相、Ｃ相のガス遮断器５１１Ｂ、５１１Ｃの上には延在しない。第１の回路配線モジュール５５０のＢ相の第１回路配線５５１Ｂは、図１５Ａ、図１５Ｂ、図１６に示すように、回路配線ラインＬ２上に位置し、Ａ相、Ｂ相のガス遮断器５１１Ａ、５１１Ｂの上に延在するが、Ｃ相のガス遮断器５１１Ｃの上には延在しない。第１の回路配線モジュール５５０のＣ相の第１回路配線５５１Ｃは、図１５Ａ、図１５Ｂ、図１５Ｃ、図１６に示すように回路配線ラインＬ３上に位置し、Ａ相、Ｂ相、Ｃ相のガス遮断器５１１Ａ、５１１Ｂ、５１１Ｃの上部に延在している。【０１３０】
第２の回路配線モジュール５６０のＡ相の第２回路配線５６１Ａは、図１５Ａ、図１５Ｂ、図１５Ｃ、図１６に示すように、回路配線ラインＬ５上に位置し、Ａ相、Ｂ相、Ｃ相のガス遮断器５１１Ａ、５１１Ｂ、５１１Ｃの上部に延在している。第２の回路配線モジュール５６０のＢ相の第２回路配線５６１Ｂは、図１５Ｂ、図１５Ｃ、図１６に示すように、回路配線ラインＬ６上に位置し、Ｂ相、Ｃ相のガス遮断器５１１Ｂ、５１１Ｃの上部に延在するが、ガス遮断器５１１Ａの上部には、延在しない。また、第２の回路配線モジュール５６０のＣ相の第２回路配線５６１Ｃは、図１５Ｃ、図１６に示すように、回路配線ラインＬ７上に位置し、Ｃ相のガス遮断器５１１Ｃの上部に延在するが、Ａ相、Ｂ相のガス遮断器５１１Ａ、５１１Ｂの上部には延在しない。【０１３１】
第１の回路配線モジュール５５０のＡ相の第１回路配線５５１Ａは、図１５Ａに示すように、Ａ相の第１回路配線５５１Ａと第１水平管５２２Ａとを接続する接続管５５２Ａと、Ａ相の第１水平管５２２Ａと、第１垂直管５２１Ａを通じてＡ相のガス遮断器５１１Ａの左端部に接続される。また、第２の回路配線モジュール５６０のＡ相の第２回路配線５６１Ａは、Ａ相の第２回路配線５６１Ａと第２水平管５３３Ａとを接続する接続管５６２Ａと、Ａ相の第２水平管５３３Ａと、第３垂直管５３２Ａと、第２垂直管５３１Ａを通じて、Ａ相のガス遮断器５１１Ａに右端部に接続される。これらのＡ相の第１回路配線５５１Ａと第２回路配線５６１Ａとの間の電気接続は、Ａ相のガス遮断器５１１Ａにより開閉される。接続管５５２Ａ、５６２Ａは、ガス絶縁接続管で構成される。【０１３２】
第１の回路配線モジュール５５０のＢ相の第１回路配線５５１Ｂは、図１５Ｂに示すように、Ｂ相の第１回路配線５５１Ｂと第１水平管５２２Ｂとを接続する接続管５５２Ｂと、Ｂ相の第１水平管５２２Ｂと、第１垂直管５２１Ｂとを通じてＢ相のガス遮断器５１１Ｂの左端部に接続される。また、第２の回路配線モジュール５６０のＢ相の第２回路配線５６１Ｂは、Ｂ相の第２回路配線５６１Ｂと第２水平管５３３Ｂとを接続する接続管５６２Ｂ、５６３Ｂと、Ｂ相の第２水平管５３３Ｂと、第３垂直管５３２Ｂと、第２垂直管５３１Ｂを通じて、Ｂ相のガス遮断器５１１Ｂに右端部に接続される。これらのＢ相の第１回路配線５５１Ｂと第２回路配線５６１Ｂとの間の電気接続は、Ｂ相のガス遮断器５１１Ｂにより開閉される。接続管５５２Ｂ、５６２Ｂ、５６３Ｂは、ガス絶縁接続管で構成される。【０１３３】
第１の回路配線モジュール５５０のＣ相の第１回路配線５５１Ｃは、図１５Ｃに示すように、Ｃ相の第１回路配線５５１Ｃと第１水平管５２２Ｃとを接続する接続管５５２Ｃと、Ｃ相の第１水平管５２２Ｃと、第１垂直管５２１Ｃとを通じてＣ相のガス遮断器５１１Ｃの左端部に接続される。また、第２の回路配線モジュール５６０のＣ相の第２回路配線５６１Ｃは、Ｃ相の第２回路配線５６１Ｃと第２水平管５３３Ｃとを接続する接続管５６２Ｃ、５６３Ｃ、５６４Ｃ、５６５Ｃ、５６６Ｃと、Ｃ相の第２水平管５３３Ｃと、第３垂直管５３２Ｃと、第２垂直管５３１Ｃを通じて、Ｃ相のガス遮断器５１１Ｃの右端部に接続される。これらのＣ相の第１回路配線５５１Ｃと第２回路配線５６１Ｃとの間の電気接続は、Ｃ相のガス遮断器５１１Ｃにより開閉される。接続管５５２Ｃ、５６２Ｃ、５６３Ｃ、５６４Ｃ、５６５Ｃ、５６６Ｃは、ガス絶縁接続管で構成される。【０１３４】
図１５Ｃに示すように、接続管５６２Ｃ、５６３Ｃは、第４の垂直平面ＶＳ４に配置される。また接続管５６５Ｃは、第３の垂直平面ＶＳ３を横切り、第１、第２の水平平面ＨＳ１、ＨＳ２のちょうど中間を水平に延びる。言い換えれば、接続管５６５Ｃは、回路配線ラインＬ１、Ｌ５のちょうど中間を水平方向に延びる。接続管５６４Ｃは、接続管５６３Ｃ、５６５Ｃを連結し、また接続管５６６Ｃは、接続管５６５Ｃと第２水平管５３３Ｃとを連結する。接続管５６５Ｃが、回路配線ラインＬ１、Ｌ５の間のスペース、すなわち第１、第２の水平平面ＨＳ１、ＨＳ２の間隔βを利用して配置されるので、第１、第２の回路配線５５０、５６０がコンパクトに配置される。【０１３５】
各相の第１水平管５２２Ａ、５２２Ｂ、５２２Ｃは、第１の回路配線モジュール５５０の各相の第１回路配線５５１Ａ、５５１Ｂ、５５１Ｃのそれぞれに対応する断路器ＤＳを内蔵する。また、各相の第１垂直管５２１Ａ、５２１Ｂ、５２１Ｃは、第１の回路配線モジュール５５０の各相の第１回路配線５５１Ａ、５５１Ｂ、５５１Ｃのそれぞれに対応する計器用変流器ＣＴを内蔵する。【０１３６】
各相の第２水平管５３３Ａ、５３３Ｂ、５３３Ｃは、第２の回路配線モジュール５６０の各相の第２回路配線５６１Ａ、５６１Ｂ、５６１Ｃのそれぞれに対応する断路器ＤＳを内蔵し、また各相の第２垂直管５３１Ａ、５３１Ｂ、５３１Ｃは、第２の回路配線モジュール５６０の各相の第２回路配線５６１Ａ、５６１Ｂ、５６１Ｃのそれぞれに対応する計器用変流器ＣＴを内蔵する。【０１３７】
実施の形態３のガス絶縁開閉ユニット５００では、Ａ相のガス遮断器５１１Ａは、第１の回路配線モジュール５５０のＡ相の第１回路配線５５１Ａと、第２の回路配線モジュール５６０のＡ相の第２回路配線５６１Ａとの間の電気接続を開閉する。Ｂ相のガス遮断器５１１Ｂは、第１の回路配線モジュール５５０のＢ相の第１回路配線５５１Ｂと、第２の回路配線モジュール５６０のＢ相の第２回路配線５６１Ｂとの間の電気接続を開閉する。同様に、Ｃ相のガス遮断器５１１Ｃは、第１の回路配線モジュール５５０のＣ相の第１回路配線５５１Ｃと、第２の回路配線モジュール５６０のＣ相の第２回路配線５６１Ｃとの間の電気接続を開閉する。【０１３８】
実施の形態３のガス絶縁開閉装置５００でも、実施の形態１と同じ効果が得られる。加えて、実施の形態３のガス絶縁開閉装置５００では、第２の回路配線モジュール５６０は、Ａ相、Ｂ相、Ｃ相の各相の第２回路配線５６１Ａ、５６１Ｂ、５６１Ｃを含み、これらの各相の第２回路配線５６１Ａ、５６１Ｂ、５６１Ｃもガス絶縁母線で構成され、それぞれ各相の第２垂直管５３１Ａ、５３１Ｂ、５３１Ｃを通じて各相のガス遮断器５１１A、５１１Ｂ、５１１Ｃに接続され、各相の第２回路配線５６１A、５６１Ｂ、５６１Ｃは、第２の方向に沿って互いに平行に延び、また、前記各相の第２回路配線５６１Ａ、５６１Ｂ、５６１Ｃは、直角二等辺三角形の各頂点に位置し、Ａ相とＢ相の各相の第２回路配線５６１Ａ、５６１Ｂは、前記直角二等辺三角形の短辺の両端に位置して、第３の垂直平面ＶＳ３上に配置され、Ｃ相の第２回路配線５６１Ｃは、第４の垂直平面ＶＳ４上に配置されるので、第２の回路配線モジュール５６０の垂直方向の寸法を縮小し、ガス絶縁開閉装置５００の垂直方向の寸法を小さくすることができる。【０１３９】
また、実施の形態３のガス絶縁開閉装置５００は、さらに、Ａ相、Ｂ相、Ｃ相の各相の第２垂直管５３１Ａ、５３１Ｂ、５３１Ｃ上に垂直に連結されたＡ相、Ｂ相、Ｃ相の各相の第３垂直管５３２Ａ、５３２Ｂ、５３２Ｃ、およびこれらの各相の第３垂直管５３２Ａ、５３２Ｂ、５３２Ｃの上に、第１の方向に延びるように連結されたＡ相、Ｂ相、Ｃ相の各相の第２水平管５３３Ａ、５３３Ｂ、５３３Ｃを備え、Ａ相の第２回路配線５６１Ａは、Ａ相の第２水平管５３３Ａと、Ａ相の第３垂直管５３２Ａと、Ａ相の第２垂直管５３１Ａを通じてＡ相のガス遮断器５１１Ａに、Ｂ相の第２回路配線５６１Ｂは、Ｂ相の第２水平管５３３Ｂと、Ｂ相の第３垂直管５３２Ｂと、Ｂ相の第２垂直管５３１Ｂを通じてＢ相のガス遮断器に、またＣ相の第２回路配線５６１Ｃは、Ｃ相の第２水平管５３３Ｃと、Ｃ相の第３垂直管５３２Ｃと、Ｃ相の第２垂直管５３１Ｃを通じてＣ相のガス遮断器に、それぞれ接続されるので、第２の回路配線モジュール５６０を簡単に各相のガス遮断器５１１Ａ、５１１Ｂ、５１１Ｃに接続することができる。【０１４０】
また、実施の形態３のガス絶縁開閉装置５００では、Ｃ相のガス遮断器５１１Ｃ上において、Ａ相の第１回路配線５５１Ａを配置する回路配置ラインＬ１と、Ａ相の第２回路配線５６１Ａを配置する回路配置ラインＬ５との間に、第１の方向に延びるＣ相の接続管５６５Ｃが第３の垂直平面ＶＳ３を横切るように配置され、Ｃ相の第２回路配線５６１Ｃは、Ｃ相の接続管５６５Ｃと、Ｃ相の第２水平管５３３Ｃと、Ｃ相の第３垂直管５３２Ｃと、Ｃ相の第２垂直管５３１Ｃを通じて、Ｃ相のガス遮断器５１１Ｃに接続されるので、Ｃ相の第２回路配線５６１Ｃを効果的にＣ相のガス遮断器５１１Ｃに接続することができる。【０１４１】
また、実施の形態３のガス絶縁開閉装置５００では、第３の垂直平面ＶＳ３上に、下から上に向かって、Ｂ相の第１回路配線５５１Ｂを配置する回路配線ラインＬ２と、Ａ相の第１回路配線５５１Ａを配置する回路配線ラインＬ１と、Ｃ相の接続管５６５Ｃと、Ａ相の第２回路配線５６１Ａを配置する回路配線ラインＬ５と、Ｂ相の第２回路配線５６１Ｂを配置する回路配線ラインＬ６が位置し、第３の垂直平面ＶＳ３上における回路配線ラインＬ１、Ｌ２の間隔をαとし、第３の垂直平面ＶＳ３上における回路配線ラインＬ５、Ｌ６の間隔をαとし、第３の垂直平面上における回路配線ラインＬ１、Ｌ５の間隔βを、２α≦β≦３αとしたので、回路配線ラインＬ１、Ｌ５の間隔を利用して、Ｃ相の接続管５６５Ｃを効率的に配置することができる。【０１４２】
また、実施の形態３のガス絶縁開閉装置では、さらに、第１の垂直平面ＶＳ１と第４の垂直平面ＶＳ４との間隔をαとし、第３の垂直平面ＶＳ３と第４の垂直平面ＶＳ４との間隔をαとし、第２の垂直平面ＶＳ２と第３の垂直平面ＶＳ３との間隔を２αとしたので、第３の垂直平面ＶＳ３の両側において各回路配線モジュール５５０、５６０を遮断器モジュール５１０に効果的に接続することができる。【０１４３】
この発明の各種の変形または変更は、関連する熟練技術者が、この発明の範囲と精神を逸脱しない中で実現可能であり、この発明に記載された実施の形態には制限されないことを理解されるべきである。
【産業上の利用可能性】
【０１４４】
この発明によるガス絶縁開閉装置は、電力系統の開閉装置として利用される。
【図面の簡単な説明】
【０１４５】
【図１】この発明によるガス絶縁開閉装置の実施の形態１を示す左側面図である。
【図２】実施の形態１の平面図である。
【図３Ａ】実施の形態１のＡ相の垂直配置面に対応する正面図である。
【図３Ｂ】実施の形態１のＢ相の垂直配置面に対応する正面図である。
【図３Ｃ】実施の形態１のＣ相の垂直配置面に対応する正面図である。
【図４】図３Ａ、図３Ｂ、図３ＣのＺ−Ｚ線による断面図である。
【図５】この発明によるガス絶縁開閉装置の実施の形態２における第１のガス絶縁開閉ユニットを示す左側面図である。
【図６】実施の形態２における第１のガス絶縁開閉ユニットの平面図である。
【図７Ａ】実施の形態２における第１のガス絶縁開閉ユニットのＡ相の垂直配置面に対応する正面図である。
【図７Ｂ】実施の形態２における第１のガス絶縁開閉ユニットのＢ相の垂直配置面に対応する正面図である。
【図７Ｃ】実施の形態２における第１のガス絶縁開閉ユニットのＣ相の垂直配置面に対応する正面図である。
【図８】図７Ａ、図７Ｂ、図７ＣのＹ−Ｙ線による断面図である。
【図９】この発明によるガス絶縁開閉装置の実施の形態２における第２のガス絶縁開閉ユニットを示す左側面図である。
【図１０】実施の形態２における第２のガス絶縁開閉ユニットの平面図である。
【図１１Ａ】実施の形態２における第２のガス絶縁開閉ユニットのＡ相の垂直配置面に対応する正面図である。
【図１１Ｂ】実施の形態２における第２のガス絶縁開閉ユニットのＢ相の垂直配置面に対応する正面図である。
【図１１Ｃ】実施の形態２の第１のガス絶縁開閉ユニットのＣ相の垂直配置面に対応する正面図である。
【図１２】図１１Ａ、図１１Ｂ、図１１ＣのＸ−Ｘ線による断面図である。
【図１３】この発明によるガス絶縁開閉装置の実施の形態３を示す左側面図である。
【図１４】実施の形態３の平面図である。
【図１５Ａ】実施の形態３のＡ相の垂直配置面に対応する正面図である。
【図１５Ｂ】実施の形態３のＢ相の垂直配置面に対応する正面図である。
【図１５Ｃ】実施の形態３のＣ相の垂直配置面に対応する正面図である。
【図１６】図１５Ａ、図１５Ｂ、図１５ＣのＷ−Ｗ線による断面図である。
【符号の説明】
【０１４６】
１０、３１０、４１０、５１０：遮断器モジュール、
１１Ａ、１１Ｂ、１１Ｃ、３１１Ａ、３１１Ｂ、３１１Ｃ、４１１Ａ、４１１Ｂ、
４１１Ｃ、５１１Ａ、５１１Ｂ、５１１Ｃ：ガス遮断器、
２１Ａ、２１Ｂ、２１Ｃ、３２１Ａ、３２１Ｂ、３２１Ｃ、５２１Ａ、５２１Ｂ、
５２１Ｃ：第１垂直管、
３１Ａ、３１Ｂ、３１Ｃ、３３１Ａ、３３１Ｂ、３３１Ｃ、５３１Ａ、５３１Ｂ、
５３１Ｃ：第２垂直管、
５０、３５０、５５０：第１の回路配線モジュール、
６０、３６０、５６０：第２の回路配線モジュール、７０：第３の回路配線モジュール、
４５０：第３の回路配線モジュール、４６０：第４の回路配線モジュール、
５１Ａ、５１Ｂ、５１Ｃ、３５１Ａ、３５１Ｂ、３５１Ｃ、５５１Ａ、５５１Ｂ、５５
１Ｃ：第１回路配線、
６１Ａ、６１Ｂ、６１Ｃ、３６１Ａ、３６１Ｂ、３６１Ｃ、５６１Ａ、５６１  B、
５６１Ｃ：第２回路配線、
４５１Ａ、４５１Ｂ、４５１Ｃ：第３回路配線、
４６１Ａ、４６１Ｂ、４６１Ｃ：第４回路配線。
【図１】
2008068944.tif 000003
【図２】
2008068944.tif 000004
【図３Ａ】
2008068944.tif 000005
【図３Ｂ】
2008068944.tif 000006
【図３Ｃ】
2008068944.tif 000007
【図４】
2008068944.tif 000008
【図５】
2008068944.tif 000009
【図６】
2008068944.tif 000010
【図７Ａ】
2008068944.tif 000011
【図７Ｂ】
2008068944.tif 000012
【図７Ｃ】
2008068944.tif 000013
【図８】
2008068944.tif 000014
【図９】
2008068944.tif 000015
【図１０】
2008068944.tif 000016
【図１１Ａ】
2008068944.tif 000017
【図１１Ｂ】
2008068944.tif 000018
【図１１Ｃ】
2008068944.tif 000019
【図１２】
2008068944.tif 000020
【図１３】
2008068944.tif 000021
【図１４】
2008068944.tif 000022
【図１５Ａ】
2008068944.tif 000023
【図１５Ｂ】
2008068944.tif 000024
【図１５Ｃ】
2008068944.tif 000025
【図１６】
2008068944.tif 000026
【手続補正書】
【提出日】平成21年3月11日(2009.3.11)
【手続補正１】
【補正対象書類名】明細書
【補正対象項目名】００２３
【補正方法】変更
【補正の内容】
【００２３】
各相の第３垂直管２３Ａ、２３Ｂ、２３Ｃの上端に、それぞれＡ相、Ｂ相、Ｃ相の第３水平管２４Ａ、２４Ｂ、２４Ｃが結合される。この各相の第３水平管２４Ａ、２４Ｂ、２４Ｃは、水平配置平面ＨＳ０と平行な第２の水平平面ＨＳ２上に、第１の方向、すなわちｘ軸の方向に、回路配線スペースＣＳに向かって水平に延長される。Ａ相の第３水平管２４Ａは、第２の水平平面ＨＳ２とＡ相の垂直配置面ＶＳＡとの交差線上に配置され、Ｂ相の第３水平管２４Ｂは、第２の水平平面ＨＳ２とＢ相の垂直配置面ＶＳＢとの交差線上に配置され、またＣ相の第３水平管２４Ｃは、第２の水平平面ＨＳ２とＣ相の垂直配置面ＶＳＣとの交差線上に配置される。
【手続補正２】
【補正対象書類名】明細書
【補正対象項目名】００３０
【補正方法】変更
【補正の内容】
【００３０】
Ａ相の第１回路配線５１Ａは、図３Ａに示すように、Ａ相の第１水平管２２Ａと、Ａ相の第１垂直管２１Ａとを通じて、Ａ相のガス遮断器１１Ａの左端部に接続される。同様に、Ｂ相の第１回路配線５１Ｂは、図３Ｂに示すように、Ｂ相の第１水平管２２Ｂと、Ｂ相の第１垂直管２１Ｂを通じてＢ相のガス遮断器１１Ｂの左端部に接続される。またＣ相の第１回路配線５１Ｃは、図３Ｃに示すように、Ｃ相の第１水平管２２Ｃと、Ｃ相の第１垂直管２１Ｃを通じてＣ相のガス遮断器１１Ｃの左端部に接続される。各相の水平管２２Ａ、２２Ｂ、２２Ｃは、第１の回路配線モジュール５０の各相の第１回路配線５１Ａ、５１Ｂ、５１Ｃのそれぞれに対応する断路器ＤＳを内蔵する。また、各相の第１垂直管２１Ａ、２１Ｂ、２１Ｃは、第１の回路配線モジュール５０の各相の第１回路配線５１Ａ、５１Ｂ、５１Ｃのそれぞれに対応する計器用変流器ＣＴを内蔵する。
【手続補正３】
【補正対象書類名】明細書
【補正対象項目名】００６２
【補正方法】変更
【補正の内容】
【００６２】
第１のガス絶縁開閉ユニット３００では、第１の回路配線モジュール３５０の各相の第１回路配線３５１Ａ、３５１Ｂ、３５１Ｃと、第２の回路配線モジュール３６０の各相の第２回路配線３６１Ａ、３６１Ｂ、３６１Ｃとが、回路配線ラインＬ１、Ｌ２、Ｌ３、Ｌ４を一部で共用しながら、水平配置平面ＨＳ０の上部の回路配線スペースＣＳにコンパクトに配置される。回路配線ラインＬ１、Ｌ２、Ｌ３、Ｌ４は、回路配線スペースＣＳ内に、第２の方向（ｙ軸の方向）に沿って、Ａ相、Ｂ相、Ｃ相の各垂直配置面ＶＳＡ１、ＶＳＢ１、ＶＳＣ１と直交する直線であり、互いに平行に延びるように設定される。
【手続補正４】
【補正対象書類名】明細書
【補正対象項目名】００７０
【補正方法】変更
【補正の内容】
【００７０】
第１の回路配線モジュール３５０のＣ相の第１回路配線３５１Ｃは、図７Ｃに示すように、Ｃ相の第１回路配線３５１Ｃと第１水平管３２２Ｃとを接続する接続管３５２Ｃと、Ｃ相の第１水平管３２２Ｃと、第１垂直管３２１Ｃとを通じてＣ相のガス遮断器３１１Ｃの左端部に接続される。また、第２の回路配線モジュール３６０のＣ相の第２回路配線３６１Ｃは、Ｃ相の第２回路配線３６１Ｃと第２水平管３３３Ｃとを接続する接続管３６２Ｃ、３６３Ｃ、３６４Ｃと、Ｃ相の第２水平管３３３Ｃと、第３垂直管３３２Ｃと、第２垂直管３３１Ｃを通じて、Ｃ相のガス遮断器３１１Ｃの右端部に接続される。これらのＣ相の第１回路配線３５１Ｃと第２回路配線３６１Ｃとの間の電気接続は、Ｃ相のガス遮断器３１１Ｃにより開閉される。接続管３５２Ｃ、３６２Ｃ、３６３Ｃ、３６４Ｃも、ガス絶縁接続管で構成される。
【手続補正５】
【補正対象書類名】明細書
【補正対象項目名】００７８
【補正方法】変更
【補正の内容】
【００７８】
第２のガス絶縁開閉ユニット４００に関連して、図９、図１０、図１２に示すように、Ａ相の垂直配置面ＶＳＡ２と、Ｂ相の垂直配置面ＶＳＢ２と、Ｃ相の垂直配置面ＶＳＣ２を設定する。Ａ相の垂直配置面ＶＳＡ２は、水平配置平面ＨＳ０と垂直であって、Ａ相のガス遮断器４１１Ａの軸線４１２ａを含む垂直平面である。Ｂ相の垂直配置面ＶＳＢ２は、水平配置平面ＨＳ０と垂直であって、Ｂ相のガス遮断器４１１Ｂの軸線４１２ｂを含む垂直平面である。Ｃ相の垂直配置面ＶＳＣ２は、水平配置平面ＨＳ０と垂直であって、Ｃ相のガス遮断器４１１Ｃの軸線４１２ｃを含む垂直平面である。これらのＡ相、Ｂ相、Ｃ相の垂直配置面ＶＳＡ２、ＶＳＢ２、ＶＳＣ２は、３軸直交座標のｘ、ｚ平面に平行であり、それぞれ第１のガス絶縁開閉ユニット３００の各相の垂直配置面ＶＳＡ１、ＶＳＢ１、ＶＳＣ１と平行な平面として構成された垂直平面である。図９、図１０に示す垂直配置面ＶＳＡ２、ＶＳＢ２の相間間隔ｍと、垂直配置面ＶＳＢ２、ＶＳＣ２の相間間隔ｍは、互いに等しい。また、これらの相間間隔ｍは、第１のガス絶縁開閉ユニット３００における相間間隔ｍとも等しい。
【手続補正６】
【補正対象書類名】明細書
【補正対象項目名】００９１
【補正方法】変更
【補正の内容】
【００９１】
第２のガス絶縁開閉ユニット４００では、第３の回路配線モジュール４５０の各相の第３回路配線４５１Ａ、４５１Ｂ、４５１Ｃと、第４の回路配線モジュール４６０の各相の第４回路配線４６１Ａ、４６１Ｂ、４６１Ｃとが、３相の回路配線ラインＬ４、Ｌ５、Ｌ６、Ｌ７を一部で共用しながら、水平配置平面ＨＳ０の上部の回路配線スペースＣＳにコンパクトに配置される。回路配線ラインＬ４は、第１のガス絶縁開閉ユニット３００について、図７Ａ、図７Ｂ、図７Ｃ、図８に示すように設定された回路配線ラインである。回路配線ラインＬ５、Ｌ６、Ｌ７は、回路配線スペースＣＳ内に、第２の方向（ｙ軸の方向）に沿って、Ａ相、Ｂ相、Ｃ相の各垂直配置面ＶＳＡ１、ＶＳＢ１、ＶＳＣ１と直交する直線であり、互いに平行に延びるように設定される。
【手続補正７】
【補正対象書類名】図面
【補正対象項目名】図５
【補正方法】変更
【補正の内容】
【図５】
2008068944.tif 000027
【手続補正８】
【補正対象書類名】図面
【補正対象項目名】図６
【補正方法】変更
【補正の内容】
【図６】
2008068944.tif 000028
【手続補正９】
【補正対象書類名】図面
【補正対象項目名】図９
【補正方法】変更
【補正の内容】
【図９】
2008068944.tif 000029
【手続補正１０】
【補正対象書類名】図面
【補正対象項目名】図１０
【補正方法】変更
【補正の内容】
【図１０】
2008068944.tif 000030
【手続補正１１】
【補正対象書類名】図面
【補正対象項目名】図１１Ａ
【補正方法】変更
【補正の内容】
【図１１Ａ】
2008068944.tif 000031
【手続補正１２】
【補正対象書類名】図面
【補正対象項目名】図１１Ｂ
【補正方法】変更
【補正の内容】
【図１１Ｂ】
2008068944.tif 000032
【手続補正１３】
【補正対象書類名】図面
【補正対象項目名】図１１Ｃ
【補正方法】変更
【補正の内容】
【図１１Ｃ】
2008068944.tif 000033
【国際調査報告】
2008068944.tif 000034
2008068944.tif 000035
2008068944.tif 000036
2008068944.tif 000037